(57)【要約】【課題】ハウジングに精度よくレンズが取り付けられることのできる光ピックアップ装置およびその組立方法を提供する。【解決手段】光が通されるレンズ５０と、このレンズ５０が取り付けられるホルダ６０と、このホルダ６０に取り付けられる位置調整部材７０と、ホルダ６０が取り付けられるハウジング３００とを備え、ホルダ６０に、レンズ５０と、位置調整部材７０とが取り付けられることで、レンズ組立体８０が構成され、このレンズ組立体８０がハウジング３００に組み付けられるときに、レンズ組立体８０は、ハウジング３００に対して取付位置が調整可能な状態で組み付けられた。前記ハウジング３００に、前記レンズ組立体８０が挿入可能な取付孔３８０が設けられ、レンズ組立体８０を構成する前記ホルダ６０の外周部６３，６４に、取付孔３８０の内周部３８５に当接される突起部６５，６６が設けられた。【選択図】図１
2006024269.tif 000002
【特許請求の範囲】
【請求項１】
光が通されるレンズと、該レンズが取り付けられるホルダと、該ホルダに取り付けられる位置調整部材と、該ホルダが取り付けられるハウジングとを備え、該ホルダに、該レンズと、該位置調整部材とが取り付けられることで、レンズ組立体が構成され、該レンズ組立体が該ハウジングに組み付けられるときに、該レンズ組立体は、該ハウジングに対して取付位置が調整可能な状態で組み付けられたことを特徴とする光ピックアップ装置。
【請求項２】
前記ハウジングに、前記レンズ組立体が挿入可能な取付孔が設けられ、該レンズ組立体は、該取付孔に圧入されたことを特徴とする請求項１に記載の光ピックアップ装置。
【請求項３】
前記ハウジングに、前記レンズ組立体が挿入可能な取付孔が設けられ、該レンズ組立体を構成する前記ホルダの外周部に、該取付孔の内周部に当接される突起部が設けられたことを特徴とする請求項１又は２に記載の光ピックアップ装置。
【請求項４】
前記ホルダは、略円筒状に形成され、該ホルダの前記外周部に、複数の前記突起部が設けられ、各突起部は、該ホルダの該外周部の円周方向に沿って略等間隔に設けられたことを特徴とする請求項３に記載の光ピックアップ装置。
【請求項５】
前記レンズ組立体を構成する前記ホルダが前記取付孔に挿入され始める側を、該ホルダの先端部とし、該先端部に対する反対側を、該ホルダの後端部としたときに、該先端部と、該後端部とに、前記突起部が設けられたことを特徴とする請求項３又は４に記載の光ピックアップ装置。
【請求項６】
前記ホルダは、略円筒状に形成され、該ホルダを略円環とされる側から見たときに、前記突起部は、略三角形状に形成され、該ホルダの前記外周部に、三角形の底辺に相当する該突起部の基部が設けられ、三角形の頂点に相当する該突起部の尖端部が、略丸孔状の前記取付孔の前記内周部に当接されたことを特徴とする請求項３〜５の何れか１項に記載の光ピックアップ装置。
【請求項７】
前記取付孔に前記レンズ組立体が挿入されるときに、該レンズ組立体を構成する前記ホルダが該取付孔に挿入され易くさせる傾斜案内部が、前記突起部に設けられたことを特徴とする請求項３〜６の何れか１項に記載の光ピックアップ装置。
【請求項８】
前記ハウジングに、前記レンズ組立体が挿入可能な取付孔が設けられ、該レンズ組立体を構成する前記ホルダが該取付孔に挿入され始める側を、該ホルダの先端部とし、該先端部に対する反対側を、該ホルダの後端部とし、該先端部と、該後端部との間を、該ホルダの中間部としたときに、該ホルダを構成する略円筒状の周壁は、該中間部から該先端部にかけて次第に薄肉に形成されたことを特徴とする請求項１〜７の何れか１項に記載の光ピックアップ装置。
【請求項９】
前記ハウジングに、前記レンズ組立体が挿入可能な取付孔が設けられ、該レンズ組立体を構成する前記ホルダが該取付孔に挿入され始める側を、該ホルダの先端部としたときに、該先端部に複数の肉盗み部が設けられて、該先端部は、複数の突出部を備えるものとして形成されたことを特徴とする請求項１〜８の何れか１項に記載の光ピックアップ装置。
【請求項１０】
前記ホルダに対して前記レンズが固定されるときに、前記肉盗み部に接着剤が流し込まれ、該ホルダの該肉盗み部と、該レンズの周縁部とが接着されて、該ホルダに該レンズが固定されたことを特徴とする請求項９に記載の光ピックアップ装置。
【請求項１１】
前記ホルダに対して前記レンズが固定されるときに、紫外線が照射されることで硬化する紫外線硬化型接着剤が用いられて、該ホルダに該レンズが固定されたことを特徴とする請求項１〜１０の何れか１項に記載の光ピックアップ装置。
【請求項１２】
前記位置調整部材は、略湾曲状に形成され、前記ホルダは、略円筒状に形成され、該位置調整部材に対応した溝が前記ホルダに設けられ、該位置調整部材は、該溝に合わせられたことを特徴とする請求項１〜１１の何れか１項に記載の光ピックアップ装置。
【請求項１３】
前記位置調整部材が前記ホルダの前記溝に取り付けられるときに、略湾曲状に形成された該位置調整部材の両端部が広げられて、該位置調整部材が該溝に装着され、該溝に該位置調整部材が装着されたのちの該位置調整部材は、該位置調整部材に発生された復元弾性力により、該位置調整部材の両端部が狭められて、該位置調整部材は、該溝に嵌め合わせられたことを特徴とする請求項１２に記載の光ピックアップ装置。
【請求項１４】
前記溝の底面に、前記位置調整部材の内周面が当接された状態で、該位置調整部材は、該溝に嵌め合わせられたことを特徴とする請求項１２又は１３に記載の光ピックアップ装置。
【請求項１５】
前記ホルダの外周面よりも内側に、前記位置調整部材の外周面が位置する状態とされて、該位置調整部材は、前記溝に嵌め合わせられたことを特徴とする請求項１２〜１４の何れか１項に記載の光ピックアップ装置。
【請求項１６】
前記ホルダに対して前記位置調整部材が固定されるときに、略湾曲状に形成された該位置調整部材の両側部と、該位置調整部材に対応して該ホルダに設けられた前記溝の両側部とに接着剤が塗布されることで、該ホルダの該溝内に該位置調整部材が固定されたことを特徴とする請求項１２〜１５の何れか１項に記載の光ピックアップ装置。
【請求項１７】
前記ホルダに対して前記位置調整部材が固定されるときに、速やかに接着が行われる瞬間接着剤が用いられて、該ホルダに該位置調整部材が固定されたことを特徴とする請求項１〜１６の何れか１項に記載の光ピックアップ装置。
【請求項１８】
前記ハウジングに対する前記レンズ組立体の取付位置を調整可能な位置調整部が、前記位置調整部材に設けられ、該位置調整部に対応した位置調節部が、該ハウジングに設けられたことを特徴とする請求項１〜１７の何れか１項に記載の光ピックアップ装置。
【請求項１９】
前記位置調整部は、前記位置調整部材に設けられた位置調整用孔とされ、前記位置調節部は、前記ハウジングに設けられた位置調節用孔とされ、該ハウジングに前記レンズ組立体が取り付けられるときに、該位置調整用孔と、該位置調節用孔とが略合わせられ、該位置調整用孔および該位置調節用孔に、位置調整用治具が通され、該位置調整用治具が動かされることで、該ハウジングに対する該レンズ組立体の取付位置が調整されたことを特徴とする請求項１８に記載の光ピックアップ装置。
【請求項２０】
前記ハウジングに対して前記レンズ組立体が固定されるときに、前記位置調節用孔に接着剤が流し込まれることで、該ハウジングに該レンズ組立体が接着固定されたことを特徴とする請求項１９に記載の光ピックアップ装置。
【請求項２１】
前記ハウジングに対して前記レンズ組立体が固定されるときに、紫外線が照射されることで硬化する紫外線硬化型接着剤が用いられて、該ハウジングに該レンズ組立体が固定されたことを特徴とする請求項１〜２０の何れか１項に記載の光ピックアップ装置。
【請求項２２】
前記ホルダは、樹脂材料が用いられて形成され、前記位置調整部材は、金属材料が用いられて形成されたことを特徴とする請求項１〜２１の何れか１項に記載の光ピックアップ装置。
【請求項２３】
前記レンズは、発光素子から出射された光を集めるダイバージェントレンズとされたことを特徴とする請求項１〜２２の何れか１項に記載の光ピックアップ装置。
【請求項２４】
ホルダを移動可能とさせる位置調整部材を該ホルダに取り付け、光が通されるレンズを該ホルダに取り付けてレンズ組立体を構成させ、該レンズ組立体をハウジングに取り付け、そのときに、該ハウジングに対して該レンズ組立体の取付位置を調節可能な位置調整用治具を用いて、該ハウジングに対し、該レンズ組立体の取付位置を調整させることを特徴とする光ピックアップ装置の組立方法。
【請求項２５】
前記位置調整用治具は、前記レンズ組立体と接する略円柱形をした細径の第一ピンと、該第一ピンに続く略円柱形をした太径の第二ピンとを備え、該第一ピンは、略円柱形をした該第二ピンの中心線に対して偏芯して突設され、該位置調整用治具に対応して、前記位置調整部材に位置調整用孔を設け、且つ、前記ハウジングに位置調節用孔を設け、前記レンズ組立体を該ハウジングに取り付けるときに、該位置調整部材の該位置調整用孔と、該ハウジングの該位置調節用孔とを略合わせ、該位置調整用孔と、該位置調節用孔とに、該位置調整用治具を挿入させて、該位置調節用孔に該第二ピンを合わせることで、該位置調整用孔に該第一ピンが合わせられ、該第二ピンを回動させることで、該第一ピンにより該位置調整部材を押動させ、該ハウジングに対する該レンズ組立体の取付位置を調整させることを特徴とする請求項２４に記載の光ピックアップ装置の組立方法。
【請求項２６】
前記位置調節用孔は、略円柱形をした前記第二ピンの直径に対応した丸穴と、該丸穴内で該第二ピンの挿入を止めさせ、且つ、前記第一ピンの回動を停止させる略板状の停止部とを備え、前記位置調整用孔は、略長円形に形成されて、略円柱形の該第一ピンの直径に対応した短径部と、該第二ピンに対する該第一ピンの偏芯動に対応した長径部とを備え、前記ハウジングに対して前記レンズ組立体の取付位置の調整を行うときに、略円柱形の該第二ピンを回動させることで、該停止部の一端部から他端部にかけて略円柱形の該第一ピンが略円弧状に回動され、そのときに、該第一ピンは、該短径部の一側部または他側部を押動し、且つ、該第一ピンは、略長円形をした該位置調整用孔の長径方向に沿って移動することを特徴とする請求項２５に記載の光ピックアップ装置の組立方法。
【発明の詳細な説明】
【技術分野】
【０００１】
本発明は、例えば光ディスク装置に装備され、メディアの情報を読み取ることが可能な光ピックアップ装置およびその組立方法に関するものである。
【背景技術】
【０００２】
図１４は、従来の光ピックアップ装置の一形態を示す説明図である。
【０００３】
レーザドライバ５１０からレーザダイオード５２０へ電流が流されて、レーザダイオード５２０からレーザ光が出力される。レーザダイオードは、「ＬＤ」と呼ばれている。「ＬＤ」は、「Laser Diode 」の略称とされる。ＬＤ５２０は、レーザホルダ５３０内に収容されている。レーザホルダは、ＬＤを保持するものとされていることから、ＬＤホルダ等と略称される。
【０００４】
レーザドライバは、「ＬＤＤ」等と呼ばれている。レーザドライバ（ＬＤＤ）は、「ＬＤDriver 」の略称とされ、ＬＤ５２０を駆動させてＬＤ５２０からレーザ光を出射させるレーザ駆動回路とされている。ＬＤＤ５１０からＬＤ５２０に電流が供給され、ＬＤ５２０から出射されたレーザ光により、ディスク６００に情報の記録が行われたり、ディスク６００に記録された情報が再生されたりされる。
【０００５】
ＬＤ５２０から出力されたレーザ光は、回折格子５４０、ダイバージェントレンズ５５０、ハーフミラー５６０、対物レンズ５７０を介して、ディスク６００に照射される。ハーフミラー（Half Mirror ）は、「ＨＭ」と略称される。また、対物レンズは、「Objective Lens」と呼ばれ、「ＯＢＬ」と略称される。
【０００６】
ディスク６００から反射されたレーザ光の一部は、フォトダイオードＩＣ５８０に当てられる。フォトダイオードＩＣ（Photo Diode IC）は、「ＰＤＩＣ」と略称される。ＰＤＩＣ５８０は、光を受けて、その信号を電気信号に変えて、光学式ピックアップ装置５０１のレンズホルダ（図示せず）のサーボ機構（図示せず）を動作させるためのものとされている。サーボ機構とは、制御の対象とされるものの状態を測定し、基準値と比較して、自動的に修正制御を行わせる機構のものを意味する。
【０００７】
また、ＬＤ５２０から出力されるレーザ光の一部は、フロントモニタダイオード５９０に入る。ＬＤ５２０から出射されたレーザ光の一部は、ＨＭ５６０の裏側において、フロントモニタダイオード５９０により検出される。フロントモニタダイオード（Front Monitor Diode ）は、「ＦＭＤ」と略称される。フロントモニタダイオード（ＦＭＤ）は、レーザダイオード（ＬＤ）から出力されるレーザ光をモニタして、レーザダイオード（ＬＤ）の制御のためにフィードバックをかけるものとされる。
【０００８】
前記ＬＤＤ５１０、前記ＬＤ５２０、前記ＰＤＩＣ５８０、前記ＦＭＤ５９０は、フレキシブルプリント回路体５０５に通電可能に接続される。フレキシブルプリント回路体は、「ＦＰＣ」と略称され、「ＦＰＣ」は、「Flexible Printed Circuit」の略称とされる。フレキシブルプリント回路体（ＦＰＣ）は、複数の回路導体５０５ｐが絶縁シート５０５ｑに印刷されて、例えば銅箔などの金属箔５０５ｐが絶縁シート５０５ｑに並設され、その上に保護層（図示せず）が設けられたものとされる。
【０００９】
上記ＦＰＣ５０５、上記ＬＤＤ５１０、上記ＬＤ５２０を備える上記ＬＤホルダ５３０、上記回折格子５４０、上記ダイバージェントレンズ５５０、上記ＨＭ５６０、上記ＯＢ
Ｌ５７０、上記ＰＤＩＣ５８０、上記ＦＭＤ５９０は、ハウジング（図示せず）に装備される。ハウジングとは、部品が収容される箱形のもの等の物が入れられる箱や、箱に類似したものを意味するものとされる。
【００１０】
光学式ピックアップ装置５０１は、上述した各種のものを備えるものとして構成されている。光学式ピックアップ装置５０１は、図示されたもの以外に、他のもの（図示せず）も備えるものとされているが、図１４においては、それらの他のものは、便宜上、省略した。
【００１１】
前記光学式ピックアップ装置５０１が用いられて、メディア６００における情報などのデータの再生または記録が行われる。メディア６００として、例えば、ＣＤ−ＲＯＭなどの読出し専用の光ディスクや、ＣＤ−Ｒなどの追記型の光ディスクや、ＣＤ−ＲＷなどの書込み／書換え可能なタイプの光ディスクなどといった各種光ディスクが挙げられる。
【００１２】
「ＣＤ」は、「Compact Disc」の略称とされる。また、「ＣＤ−ＲＯＭ」の「ＲＯＭ」は、「Read Only Memory」の略称とされ、ＣＤ−ＲＯＭは、データ読出し専用のものとされている。また、「ＣＤ−Ｒ」の「Ｒ」は、「Recordable」の略称とされ、ＣＤ−Ｒは、データの書込みが可能なものとされている。また、「ＣＤ−ＲＷ」の「ＲＷ」は、「ReWritable」の略称とされ、ＣＤ−ＲＷは、データの書換えが可能なものとされている。
【００１３】
光ピックアップ装置５０１は、前記各種の光ディスクに記録されたデータを再生させたり、前記書込み可能もしくは書換え可能な各種光ディスクにデータを記録させたりするものとされている。
【００１４】
また、従来のものとして、例えば光源の強度分布のばらつきに起因して発生される誤差信号のオフセットを低減させた光源ユニット及び該光源ユニットを使用した光学ヘッドというものがある（例えば特許文献１参照）。
【特許文献１】特開平５−２２５５８３号公報（第１頁、第１図）
【発明の開示】
【発明が解決しようとする課題】
【００１５】
しかしながら、図１４に示す上記従来の光ピックアップ装置５０１にあっては、不図示のハウジングに対し、ダイバージェントレンズ５５０の取付位置がずらされると、光ピックアップ装置５０１における光路の設定がずらされるということが懸念されていた。
【００１６】
例えば、前記ハウジングにダイバージェントレンズ５５０が取り付けられるときに、ハウジングの定められた位置に対し、ダイバージェントレンズ５５０がずらされた位置に取り付けられた場合、対物レンズ５７０におけるレーザ光のピントが合わされず、このことから、光ピックアップ装置５０１に不具合が発生されるといったことが心配されていた。
【００１７】
また、不図示のハウジングにダイバージェントレンズ５５０が取り付けられるときに、ハウジングの定められた位置に対し、ダイバージェントレンズ５５０がずらされた位置に取り付けられた場合、例えばＦＭＤ５９０に対するレーザ光のピントが合わされず、このことから、光ピックアップ装置５０１に不具合が発生されるということが懸念される。
【００１８】
本発明は、上記した点に鑑み、ハウジングに精度よくレンズが取り付けられることのできる光ピックアップ装置およびその組立方法を提供することを目的とする。
【課題を解決するための手段】
【００１９】
上記目的を達成するために、本発明の請求項１に係る光ピックアップ装置は、光が通さ
れるレンズと、該レンズが取り付けられるホルダと、該ホルダに取り付けられる位置調整部材と、該ホルダが取り付けられるハウジングとを備え、該ホルダに、該レンズと、該位置調整部材とが取り付けられることで、レンズ組立体が構成され、該レンズ組立体が該ハウジングに組み付けられるときに、該レンズ組立体は、該ハウジングに対して取付位置が調整可能な状態で組み付けられたことを特徴とする。
【００２０】
上記構成により、レンズ組立体は、ハウジングに精度よく組み付けられることとなる。光が通されるレンズと、このレンズが取り付けられるホルダと、このホルダに取り付けられる位置調整部材とを備えるレンズ組立体は、ハウジングに対し、取付位置が調整可能な状態で組み付けられるので、レンズ組立体は、精度よくハウジングに組み付けられることとなる。従って、レンズを備えるレンズ組立体がハウジングに精度よく取り付けられ、精度よく光路調整が行われた光ピックアップ装置を提供することが可能となる。
【００２１】
請求項２に係る光ピックアップ装置は、請求項１に記載の光ピックアップ装置において、前記ハウジングに、前記レンズ組立体が挿入可能な取付孔が設けられ、該レンズ組立体は、該取付孔に圧入されたことを特徴とする。
【００２２】
上記構成により、レンズ組立体は、ハウジングに設けられた取付孔から抜け落とされることなく、ハウジングの取付孔に挿着されることとなる。ハウジングの取付孔にレンズ組立体が圧入されて、ハウジングにレンズ組立体が取り付けられるので、ハウジングに対するレンズ組立体の取付作業が行われたときに、ハウジングの取付孔からレンズ組立体が不用意に抜け落とされ、このことから、レンズ組立体が見失われるということは、防止されることとなる。従って、ハウジングに対するレンズ組立体の取付作業は、歩留りよく行われることとなる。
【００２３】
請求項３に係る光ピックアップ装置は、請求項１又は２に記載の光ピックアップ装置において、前記ハウジングに、前記レンズ組立体が挿入可能な取付孔が設けられ、該レンズ組立体を構成する前記ホルダの外周部に、該取付孔の内周部に当接される突起部が設けられたことを特徴とする。
【００２４】
上記構成により、レンズ組立体は、ハウジングの取付孔に確実に挿着されることとなる。ハウジングの取付孔に、ホルダを備えるレンズ組立体が挿着されるときに、ホルダの外周部に設けられた突起部が、ハウジングに設けられた取付孔の内周部に当接されるので、ホルダを備えるレンズ組立体は、ハウジングの取付孔内に確実に保持されることとなる。従って、レンズ組立体は、ハウジングに確実に組み付けられることとなる。
【００２５】
請求項４に係る光ピックアップ装置は、請求項３に記載の光ピックアップ装置において、前記ホルダは、略円筒状に形成され、該ホルダの前記外周部に、複数の前記突起部が設けられ、各突起部は、該ホルダの該外周部の円周方向に沿って略等間隔に設けられたことを特徴とする。
【００２６】
上記構成により、ハウジングの取付孔内の精度が低いものとされていても、レンズ組立体は、姿勢が整えられた状態で、ハウジングに取り付けられることとなる。略円筒状ホルダの外周部の円周方向に沿って、複数の突起部が略等間隔に設けられているので、ハウジングの取付孔に、ホルダを備えるレンズ組立体が挿入されて、ハウジングに対し、ホルダを備えるレンズ組立体の取付位置が調整されるときに、レンズ組立体の姿勢が変動されるということは、抑えられることとなる。従って、ハウジングに取り付けられたレンズ組立体の取付位置が調整されるときに、レンズ組立体の姿勢が崩されるということは回避され、レンズ組立体は、姿勢が整えられた状態で、ハウジングに組み付けられることとなる。
【００２７】
請求項５に係る光ピックアップ装置は、請求項３又は４に記載の光ピックアップ装置において、前記レンズ組立体を構成する前記ホルダが前記取付孔に挿入され始める側を、該ホルダの先端部とし、該先端部に対する反対側を、該ホルダの後端部としたときに、該先端部と、該後端部とに、前記突起部が設けられたことを特徴とする。
【００２８】
上記構成により、ハウジングの取付孔内の精度が低いものとされていても、ホルダを備えるレンズ組立体は、ハウジングの取付孔内に確実に組み付けられることとなる。ホルダの先端部と、ホルダの後端部とに、突起部が設けられているので、ハウジングの取付孔に、ホルダを備えるレンズ組立体が挿入されて、ハウジングに対し、ホルダを備えるレンズ組立体の取付位置が調整されるときに、レンズ組立体の姿勢が変動されるということは、抑えられることとなる。従って、ハウジングに取り付けられたレンズ組立体の取付位置が調整されるときに、レンズ組立体の姿勢が崩されるということは防止され、レンズ組立体は、姿勢が整えられた状態で、ハウジングに組み付けられることとなる。
【００２９】
請求項６に係る光ピックアップ装置は、請求項３〜５の何れか１項に記載の光ピックアップ装置において、前記ホルダは、略円筒状に形成され、該ホルダを略円環とされる側から見たときに、前記突起部は、略三角形状に形成され、該ホルダの前記外周部に、三角形の底辺に相当する該突起部の基部が設けられ、三角形の頂点に相当する該突起部の尖端部が、略丸孔状の前記取付孔の前記内周部に当接されたことを特徴とする。
【００３０】
上記構成により、ホルダを備えるレンズ組立体は、ハウジングに設けられた取付孔に圧入された状態で取り付けられることとなる。略円筒状のホルダの外周部に設けられた突起部の尖端部が、ハウジングに設けられた取付孔の内周部に当接されるので、略丸孔状の取付孔内の径寸法にばらつきがあるものとされていても、取付孔内の径寸法のばらつきは、突起部の尖端部により吸収されることとなる。従って、レンズ組立体は、ハウジングに設けられた取付孔の径寸法のばらつきを吸収した状態で、ハウジングの取付孔に挿着されることとなる。
【００３１】
請求項７に係る光ピックアップ装置は、請求項３〜６の何れか１項に記載の光ピックアップ装置において、前記取付孔に前記レンズ組立体が挿入されるときに、該レンズ組立体を構成する前記ホルダが該取付孔に挿入され易くさせる傾斜案内部が、前記突起部に設けられたことを特徴とする。
【００３２】
上記構成により、レンズ組立体を構成するホルダがハウジングの取付孔に挿入されるときに、突起部を備えるホルダは、容易にハウジングの取付孔に挿入されることとなる。ホルダの突起部に傾斜案内部が設けられているので、レンズ組立体がハウジングの取付孔に挿着されるときに、レンズ組立体を構成するホルダの突起部は、突起部に設けられた傾斜案内部にガイドされる。従って、レンズ組立体は、ハウジングの取付孔に容易に挿着されることとなる。
【００３３】
請求項８に係る光ピックアップ装置は、請求項１〜７の何れか１項に記載の光ピックアップ装置において、前記ハウジングに、前記レンズ組立体が挿入可能な取付孔が設けられ、該レンズ組立体を構成する前記ホルダが該取付孔に挿入され始める側を、該ホルダの先端部とし、該先端部に対する反対側を、該ホルダの後端部とし、該先端部と、該後端部との間を、該ホルダの中間部としたときに、該ホルダを構成する略円筒状の周壁は、該中間部から該先端部にかけて次第に薄肉に形成されたことを特徴とする。
【００３４】
上記構成により、ハウジングに設けられた取付孔に、レンズ組立体を構成するホルダが挿入されるときに、ホルダの先端部に無理な力が加えられることなく、レンズ組立体を構成するホルダは、ハウジングの取付孔に挿入されることとなる。ホルダを構成する略円筒
状の周壁は、ホルダの中間部から先端部にかけて次第に薄肉に形成されているので、ホルダの先端部は、弾性に優れたものとなる。このように、ホルダの先端部は、可撓性に優れたものとして形成されているので、レンズ組立体を構成するホルダが、ハウジングに設けられた取付孔に挿入されるときに、ホルダに無理な力が加えられるということは、防止されることとなる。また、ホルダを構成する略円筒状の周壁が、ホルダの中間部から先端部にかけて次第に薄肉に形成され、且つ、ハウジングに設けられた取付孔の内周部に当接される突起部が、ホルダの先端部の外周部に設けられたものとされていれば、ホルダを備えるレンズ組立体が、ハウジングの取付孔に挿入されるときに、ホルダの先端部は、適度に撓まされることとなる。従って、ホルダを備えるレンズ組立体が、ハウジングの取付孔に挿入されるときに、ホルダの先端部の外周部に設けられた突起部が削らされるということは、防止され易くなる。また、ハウジングに対し、ホルダを備えるレンズ組立体の取付位置が調整されるときに、ホルダの先端部の外周部に設けられた突起部が削らされるということも、防止され易くなる。
【００３５】
請求項９に係る光ピックアップ装置は、請求項１〜８の何れか１項に記載の光ピックアップ装置において、前記ハウジングに、前記レンズ組立体が挿入可能な取付孔が設けられ、該レンズ組立体を構成する前記ホルダが該取付孔に挿入され始める側を、該ホルダの先端部としたときに、該先端部に複数の肉盗み部が設けられて、該先端部は、複数の突出部を備えるものとして形成されたことを特徴とする。
【００３６】
上記構成により、ハウジングに設けられた取付孔の精度が低いものとされていても、レンズ組立体を構成するホルダは、ハウジングの取付孔に確実に挿入されることとなる。ホルダの先端部に複数の肉盗み部が設けられて、ホルダの先端部は、複数の突出部を備えるものとして形成されているので、例えばハウジングの取付孔が略楕円形状に形成されていても、ホルダの先端部は、ハウジングの取付孔に入られ易くなる。従って、レンズ組立体を構成するホルダは、確実にハウジングの取付孔に挿着されることとなる。
【００３７】
請求項１０に係る光ピックアップ装置は、請求項９に記載の光ピックアップ装置において、前記ホルダに対して前記レンズが固定されるときに、前記肉盗み部に接着剤が流し込まれ、該ホルダの該肉盗み部と、該レンズの周縁部とが接着されて、該ホルダに該レンズが固定されたことを特徴とする。
【００３８】
上記構成により、レンズは、ホルダに確実に固定されることとなる。ホルダにレンズが備えられ、ホルダの先端部に設けられた肉盗み部に接着剤が流し込まれるので、ホルダの肉盗み部と、レンズの周縁部とで接着が行われることとなる。従って、レンズに通される光に悪影響が及ぼされることなく、レンズは、ホルダに正常に接着固定されることとなる。
【００３９】
請求項１１に係る光ピックアップ装置は、請求項１〜１０の何れか１項に記載の光ピックアップ装置において、前記ホルダに対して前記レンズが固定されるときに、紫外線が照射されることで硬化する紫外線硬化型接着剤が用いられて、該ホルダに該レンズが固定されたことを特徴とする。
【００４０】
上記構成により、レンズは、容易で迅速にホルダに固定されることとなる。紫外線硬化型接着剤に紫外線が照射されることで、紫外線硬化型接着剤の硬化反応が促進され、レンズは、ホルダに速やかに接着されることとなる。また、紫外線硬化型接着剤が用いられて、ホルダにレンズが接着されるので、レンズは、ハウジングに精度よく接着固定されることとなる。
【００４１】
請求項１２に係る光ピックアップ装置は、請求項１〜１１の何れか１項に記載の光ピッ
クアップ装置において、前記位置調整部材は、略湾曲状に形成され、前記ホルダは、略円筒状に形成され、該位置調整部材に対応した溝が前記ホルダに設けられ、該位置調整部材は、該溝に合わせられたことを特徴とする。
【００４２】
上記構成により、略湾曲状に形成された位置調整部材は、略円筒状に形成されたホルダの溝に、確実に合わせられることとなる。略湾曲状の位置調整部材に対応した溝がホルダに設けられ、この溝に位置調整部材が合わせられるので、位置調整部材は、ホルダの溝に沿って、確実にホルダに取り付けられることとなる。
【００４３】
請求項１３に係る光ピックアップ装置は、請求項１２に記載の光ピックアップ装置において、前記位置調整部材が前記ホルダの前記溝に取り付けられるときに、略湾曲状に形成された該位置調整部材の両端部が広げられて、該位置調整部材が該溝に装着され、該溝に該位置調整部材が装着されたのちの該位置調整部材は、該位置調整部材に発生された復元弾性力により、該位置調整部材の両端部が狭められて、該位置調整部材は、該溝に嵌め合わせられたことを特徴とする。
【００４４】
上記構成により、略湾曲状に形成された位置調整部材は、略円筒状に形成されたホルダの溝に、確実に嵌め合わせられることとなる。略湾曲状に形成された位置調整部材が、略円筒状に形成されたホルダの溝に取り付けられるときに、略湾曲状に形成された位置調整部材の両端部が広げられて、ホルダの溝に位置調整部材が装着され、ホルダの溝に位置調整部材が装着されたのちの位置調整部材は、位置調整部材に発生された復元弾性力により、位置調整部材の両端部が狭められるので、ホルダの溝から位置調整部材が不用意に抜け落とされるということは、防止されることとなる。このように、位置調整部材に復元弾性力が発生されるので、位置調整部材は、ホルダに設けられた溝に確実に嵌着されることとなる。
【００４５】
請求項１４に係る光ピックアップ装置は、請求項１２又は１３に記載の光ピックアップ装置において、前記溝の底面に、前記位置調整部材の内周面が当接された状態で、該位置調整部材は、該溝に嵌め合わせられたことを特徴とする。
【００４６】
上記構成により、位置調整部材は、確実にホルダの溝に嵌め合わせられることとなる。ホルダに設けられた溝の底面に、位置調整部材の内周面が当接された状態で、位置調整部材がホルダの溝に嵌め合わせられるので、位置調整部材は、ホルダに設けられた溝の底面に抱き付いた状態で、ホルダに取り付けられることとなる。従って、位置調整部材がホルダの溝から抜け落とされるということは、回避され易くなり、位置調整部材は、確実にホルダの溝に嵌着されることとなる。
【００４７】
請求項１５に係る光ピックアップ装置は、請求項１２〜１４の何れか１項に記載の光ピックアップ装置において、前記ホルダの外周面よりも内側に、前記位置調整部材の外周面が位置する状態とされて、該位置調整部材は、前記溝に嵌め合わせられたことを特徴とする。
【００４８】
上記構成により、ホルダの外周面よりも位置調整部材の外周面が外側に位置することなく、位置調整部材は、ホルダの溝に嵌着されることとなる。ホルダの溝に位置調整部材が嵌め合わせられてレンズ組立体が構成され、このレンズ組立体が挿入可能な取付孔が、ハウジングに設けられたものにおいては、レンズ組立体がハウジングの取付孔に挿入されて光ピックアップ装置が組み立てられるときに、ハウジングの取付孔に、スムーズにレンズ組立体が挿入されることが要求される。ホルダの溝に位置調整部材が嵌め合わせられたときに、ホルダの外周面よりも内側に、位置調整部材の外周面が位置する状態とされて、レンズ組立体が構成されていれば、ハウジングの取付孔にレンズ組立体が挿着されるときに
、ハウジングの取付孔にレンズ組立体の位置調整部材が引っ掛けられるということは回避され、レンズ組立体は、スムーズにハウジングの取付孔に挿着されることとなる。
【００４９】
請求項１６に係る光ピックアップ装置は、請求項１２〜１５の何れか１項に記載の光ピックアップ装置において、前記ホルダに対して前記位置調整部材が固定されるときに、略湾曲状に形成された該位置調整部材の両側部と、該位置調整部材に対応して該ホルダに設けられた前記溝の両側部とに接着剤が塗布されることで、該ホルダの該溝内に該位置調整部材が固定されたことを特徴とする。
【００５０】
上記構成により、位置調整部材は、確実にホルダの溝内に固定されることとなる。ホルダに対して位置調整部材が固定されるときに、略湾曲状に形成された位置調整部材の両側部と、位置調整部材に対応してホルダに設けられた溝の両側部とに、接着剤が塗布されるので、ホルダに設けられた溝内で位置調整部材が動かされるということは、防止されることとなる。従って、位置調整部材は、ホルダの溝内に確実に固着されることとなる。
【００５１】
請求項１７に係る光ピックアップ装置は、請求項１〜１６の何れか１項に記載の光ピックアップ装置において、前記ホルダに対して前記位置調整部材が固定されるときに、速やかに接着が行われる瞬間接着剤が用いられて、該ホルダに該位置調整部材が固定されたことを特徴とする。
【００５２】
上記構成により、位置調整部材は、速やかにホルダに固定されることとなる。ホルダに対して位置調整部材が固定されるときに、速やかに接着が行われる瞬間接着剤が用いられて、ホルダに位置調整部材が固定されるので、ホルダに対する位置調整部材の固定作業は、迅速に行われることとなる。このように、瞬間接着剤が用いられることで、位置調整部材は、迅速にホルダに固着されることとなる。
【００５３】
請求項１８に係る光ピックアップ装置は、請求項１〜１７の何れか１項に記載の光ピックアップ装置において、前記ハウジングに対する前記レンズ組立体の取付位置を調整可能な位置調整部が、前記位置調整部材に設けられ、該位置調整部に対応した位置調節部が、該ハウジングに設けられたことを特徴とする。
【００５４】
上記構成により、ハウジングに対して、位置調整部材を備えるレンズ組立体の取付位置の調整は、容易に行われることとなる。ハウジングに対するレンズ組立体の取付位置を調整可能な位置調整部が、位置調整部材に設けられ、位置調整部に対応した位置調節部が、ハウジングに設けられているので、位置調整部材を備えるレンズ組立体がハウジングに取り付けられるときに、レンズ組立体を構成する位置調整部材の位置調整部と、ハウジングの位置調節部との位置が調整されることで、ハウジングに対するレンズ組立体の取付位置が調整されることとなる。
【００５５】
請求項１９に係る光ピックアップ装置は、請求項１８に記載の光ピックアップ装置において、前記位置調整部は、前記位置調整部材に設けられた位置調整用孔とされ、前記位置調節部は、前記ハウジングに設けられた位置調節用孔とされ、該ハウジングに前記レンズ組立体が取り付けられるときに、該位置調整用孔と、該位置調節用孔とが略合わせられ、該位置調整用孔および該位置調節用孔に、位置調整用治具が通され、該位置調整用治具が動かされることで、該ハウジングに対する該レンズ組立体の取付位置が調整されたことを特徴とする。
【００５６】
上記構成により、ハウジングに対して、位置調整部材を備えるレンズ組立体の取付位置の調整は、正確に行われることとなる。レンズ組立体を構成する位置調整部材の位置調整用孔と、ハウジングの位置調節用孔とが略合わせられ、位置調整用孔および位置調節用孔
に、位置調整用治具が通され、位置調整用治具が動かされることで、ハウジングに対するレンズ組立体の取付位置が調整されるので、ハウジングに対するレンズ組立体の位置調整は、正確に行われることとなる。
【００５７】
請求項２０に係る光ピックアップ装置は、請求項１９に記載の光ピックアップ装置において、前記ハウジングに対して前記レンズ組立体が固定されるときに、前記位置調節用孔に接着剤が流し込まれることで、該ハウジングに該レンズ組立体が接着固定されたことを特徴とする。
【００５８】
上記構成により、レンズ組立体は、ハウジングに確実に接着されて固定されることとなる。ハウジングに対するレンズ組立体の取付位置が調整されたのちに、ハウジングに設けられた位置調節用孔に接着剤が流し込まれて、ハウジングと、レンズ組立体との接着作業が行われるので、レンズ組立体は、ハウジングに容易に接着固定されることとなる。
【００５９】
請求項２１に係る光ピックアップ装置は、請求項１〜２０の何れか１項に記載の光ピックアップ装置において、前記ハウジングに対して前記レンズ組立体が固定されるときに、紫外線が照射されることで硬化する紫外線硬化型接着剤が用いられて、該ハウジングに該レンズ組立体が固定されたことを特徴とする。
【００６０】
上記構成により、レンズ組立体は、容易で迅速にハウジングに固定されることとなる。紫外線硬化型接着剤に紫外線が照射されることで、紫外線硬化型接着剤の硬化反応が促進され、レンズ組立体は、ハウジングに速やかに接着されることとなる。また、紫外線硬化型接着剤が用いられて、ハウジングにレンズ組立体が接着されるので、レンズ組立体は、ハウジングに精度よく接着固定されることとなる。
【００６１】
請求項２２に係る光ピックアップ装置は、請求項１〜２１の何れか１項に記載の光ピックアップ装置において、前記ホルダは、樹脂材料が用いられて形成され、前記位置調整部材は、金属材料が用いられて形成されたことを特徴とする。
【００６２】
上記構成により、ハウジングに対してレンズ組立体の位置調整作業が繰返し行われることがあっても、ホルダと位置調整部材とを備えるレンズ組立体は、精度よくハウジングに取り付けられることとなる。例えば、ホルダと、位置調整部材とが一体化され、樹脂材料が用いられて、位置調整部を備えるホルダが形成され、このようなホルダを備えるレンズ組立体と、ハウジングとの位置調整作業が繰返し行われた場合、最適な位置調整作業ができなくなるといったことが心配されていた。例えば、樹脂製ホルダの位置調整部に、位置調整用治具などが繰り返して押し当てられた場合、樹脂製ホルダの位置調整部が削らされて、ハウジングに対するレンズ組立体の最適な位置調整作業が行われなくなるといったことが懸念されていた。樹脂材料は、一般に金属材料よりも摺動性に優れ、ホルダなどの成形体の低コスト化を図るうえで有利なものとされている。これに対し、金属材料は、一般に樹脂材料よりも耐摩耗性に優れるものとされている。樹脂材料が用いられてホルダが形成され、金属材料が用いられて位置調整部材が形成されていれば、例えば位置調整用治具が用いられて、ハウジングに対するレンズ組立体の位置調整作業が繰返し行われても、金属製位置調整部材が削らされるということは、防止されることとなる。従って、ハウジングに対するレンズ組立体の位置調整作業が繰り返して実行可能とされた光ピックアップ装置が提供されることとなる。
【００６３】
請求項２３に係る光ピックアップ装置は、請求項１〜２２の何れか１項に記載の光ピックアップ装置において、前記レンズは、発光素子から出射された光を集めるダイバージェントレンズとされたことを特徴とする。
【００６４】
上記構成により、ダイバージェントレンズを備えるレンズ組立体は、ハウジングに精度よく組み付けられることとなる。ダイバージェントレンズは、発光素子から出射された光を集めるものとされている。ハウジングに対し、ダイバージェントレンズの取付位置がずらされていると、光ピックアップ装置における光路の設定がずらされ、このことから、光ピックアップ装置に動作不良が生じるといったことが懸念されていた。しかしながら、ダイバージェントレンズを備えるレンズ組立体が、精度よくハウジングに組み付けられていれば、光路調整が精度よく行われた光ピックアップ装置が提供されることとなる。
【００６５】
請求項２４に係る光ピックアップ装置の組立方法は、ホルダを移動可能とさせる位置調整部材を該ホルダに取り付け、光が通されるレンズを該ホルダに取り付けてレンズ組立体を構成させ、該レンズ組立体をハウジングに取り付け、そのときに、該ハウジングに対して該レンズ組立体の取付位置を調節可能な位置調整用治具を用いて、該ハウジングに対し、該レンズ組立体の取付位置を調整させることを特徴とする。
【００６６】
上記構成により、ハウジングに精度よくレンズ組立体を取り付けることが可能となる。レンズを備えるレンズ組立体をハウジングに取り付けるときに、位置調整用治具を用いて、ハウジングに対するレンズ組立体の取付位置の調整を行うので、レンズ組立体を精度よくハウジングに取り付けることが可能とされる。従って、光ピックアップ装置の組立作業を行うときに、光ピックアップ装置に精度よく光路を設定させることが可能とされる。
【００６７】
請求項２５に係る光ピックアップ装置の組立方法は、請求項２４に記載の光ピックアップ装置の組立方法において、前記位置調整用治具は、前記レンズ組立体と接する略円柱形をした細径の第一ピンと、該第一ピンに続く略円柱形をした太径の第二ピンとを備え、該第一ピンは、略円柱形をした該第二ピンの中心線に対して偏芯して突設され、該位置調整用治具に対応して、前記位置調整部材に位置調整用孔を設け、且つ、前記ハウジングに位置調節用孔を設け、前記レンズ組立体を該ハウジングに取り付けるときに、該位置調整部材の該位置調整用孔と、該ハウジングの該位置調節用孔とを略合わせ、該位置調整用孔と、該位置調節用孔とに、該位置調整用治具を挿入させて、該位置調節用孔に該第二ピンを合わせることで、該位置調整用孔に該第一ピンが合わせられ、該第二ピンを回動させることで、該第一ピンにより該位置調整部材を押動させ、該ハウジングに対する該レンズ組立体の取付位置を調整させることを特徴とする。
【００６８】
上記構成により、ハウジングにレンズ組立体を取り付けて、ハウジングに対するレンズ組立体の取付位置を調整させるときの作業は、精度よく容易に行われることとなる。レンズ組立体をハウジングに取り付けるときに、位置調整部材の位置調整用孔と、ハウジングの位置調節用孔とを略合わせ、位置調整部材の位置調整用孔と、ハウジングの位置調節用孔とに、位置調整用治具を挿入させて、位置調整用治具の第二ピンをハウジングの位置調節用孔に合わせることで、位置調整用治具の第一ピンが位置調整部材の位置調整用孔に合わせられ、位置調整用治具の第二ピンを回動させることで、第二ピンの先に設けられた第一ピンにより、レンズ組立体の位置調整部材を押動させるので、レンズと位置調整部材とを備えるレンズ組立体の取付位置の調整は、精度よく容易に行われることとなる。
【００６９】
請求項２６に係る光ピックアップ装置の組立方法は、請求項２５に記載の光ピックアップ装置の組立方法において、前記位置調節用孔は、略円柱形をした前記第二ピンの直径に対応した丸穴と、該丸穴内で該第二ピンの挿入を止めさせ、且つ、前記第一ピンの回動を停止させる略板状の停止部とを備え、前記位置調整用孔は、略長円形に形成されて、略円柱形の該第一ピンの直径に対応した短径部と、該第二ピンに対する該第一ピンの偏芯動に対応した長径部とを備え、前記ハウジングに対して前記レンズ組立体の取付位置の調整を行うときに、略円柱形の該第二ピンを回動させることで、該停止部の一端部から他端部にかけて略円柱形の該第一ピンが略円弧状に回動され、そのときに、該第一ピンは、該短径
部の一側部または他側部を押動し、且つ、該第一ピンは、略長円形をした該位置調整用孔の長径方向に沿って移動することを特徴とする。
【００７０】
上記構成により、ハウジングにレンズ組立体を取り付けて、ハウジングに対するレンズ組立体の取付位置を調整させるときの作業は、さらに精度よく容易に行われることとなる。ハウジングに設けられた位置調節用の丸穴に、位置調整用治具の第二ピンの挿入を止めさせる停止部が設けられているので、ハウジングに対し、位置調整用治具は、位置決めされた状態でハウジングの丸穴内に挿入されることとなる。また、略円柱形の第二ピンを回動させることで、ハウジングの位置調節用孔に設けられた停止部の一端部から他端部にかけて略円柱形の第一ピンが略円弧状に回動され、そのときに、位置調整用治具の第一ピンは、位置調整部材の略長円形をした位置調整用孔の短径部の一側部または他側部を押動し、且つ、位置調整用治具の第一ピンは、位置調整部材に設けられた略長円形の位置調整用孔の長径方向に沿って移動する構造のものとされているので、ハウジングに対し、光軸方向に沿ったレンズ組立体の取付位置の調整は、精度よく容易に行われる。従って、ハウジングに対するレンズ組立体の取付位置の調整は、さらに精度よく容易に行われることとなる。
【発明の効果】
【００７１】
以上の如く、請求項１に記載の発明によれば、ハウジングに精度よくレンズ組立体を組み付けることができる。光が通されるレンズと、このレンズが取り付けられるホルダと、このホルダに取り付けられる位置調整部材とを備えるレンズ組立体は、ハウジングに対し、取付位置が調整可能な状態で組み付けられるので、レンズ組立体は、精度よくハウジングに組み付けられる。従って、レンズを備えるレンズ組立体がハウジングに精度よく取り付けられ、精度よく光路調整が行われた光ピックアップ装置を提供することができる。
【００７２】
請求項２に記載の発明によれば、ハウジングに設けられた取付孔からレンズ組立体が抜け落とされることなく、レンズ組立体をハウジングの取付孔に挿着させることができる。ハウジングの取付孔にレンズ組立体が圧入されて、ハウジングにレンズ組立体が取り付けられるので、ハウジングに対するレンズ組立体の取付作業が行われたときに、ハウジングの取付孔からレンズ組立体が不用意に抜け落とされ、このことから、レンズ組立体が見失われるということは、防止される。従って、ハウジングに対するレンズ組立体の取付作業を歩留りよく行うことができる。
【００７３】
請求項３に記載の発明によれば、ハウジングの取付孔に確実にレンズ組立体を挿着させることができる。ハウジングの取付孔に、ホルダを備えるレンズ組立体が挿着されるときに、ホルダの外周部に設けられた突起部が、ハウジングに設けられた取付孔の内周部に当接されるので、ホルダを備えるレンズ組立体は、ハウジングの取付孔内に確実に保持される。従って、ハウジングにレンズ組立体を確実に組み付けることができる。
【００７４】
請求項４に記載の発明によれば、ハウジングの取付孔内の精度が低いものとされていても、レンズ組立体は、姿勢が整えられた状態で、ハウジングに取り付けられる。略円筒状ホルダの外周部の円周方向に沿って、複数の突起部が略等間隔に設けられているので、ハウジングの取付孔に、ホルダを備えるレンズ組立体が挿入されて、ハウジングに対し、ホルダを備えるレンズ組立体の取付位置が調整されるときに、レンズ組立体の姿勢が変動されるということは、抑えられる。従って、ハウジングに取り付けられたレンズ組立体の取付位置が調整されるときに、レンズ組立体の姿勢が崩されるということは回避され、レンズ組立体の姿勢は整えられた状態とされて、レンズ組立体をハウジングに組み付けることができる。
【００７５】
請求項５に記載の発明によれば、ハウジングの取付孔内の精度が低いものとされていて
も、ハウジングの取付孔内に、ホルダを備えるレンズ組立体を確実に組み付けることができる。ホルダの先端部と、ホルダの後端部とに、突起部が設けられているので、ハウジングの取付孔に、ホルダを備えるレンズ組立体が挿入されて、ハウジングに対し、ホルダを備えるレンズ組立体の取付位置が調整されるときに、レンズ組立体の姿勢が変動されるということは、抑えられる。従って、ハウジングに取り付けられたレンズ組立体の取付位置が調整されるときに、レンズ組立体の姿勢が崩されるということは防止され、レンズ組立体の姿勢は整えられた状態とされて、レンズ組立体をハウジングに組み付けることができる。
【００７６】
請求項６に記載の発明によれば、ホルダを備えるレンズ組立体は、ハウジングに設けられた取付孔に圧入された状態で取り付けられる。略円筒状のホルダの外周部に設けられた突起部の尖端部が、ハウジングに設けられた取付孔の内周部に当接されるので、略丸孔状の取付孔内の径寸法にばらつきがあるものとされていても、取付孔内の径寸法のばらつきは、突起部の尖端部により吸収される。従って、ハウジングに設けられた取付孔の径寸法のばらつきを、レンズ組立体の突起部の尖端部に吸収させた状態で、ハウジングの取付孔に、レンズ組立体を挿着させることができる。
【００７７】
請求項７に記載の発明によれば、レンズ組立体を構成するホルダがハウジングの取付孔に挿入されるときに、突起部を備えるホルダは、容易にハウジングの取付孔に挿入される。ホルダの突起部に傾斜案内部が設けられているので、レンズ組立体がハウジングの取付孔に挿着されるときに、レンズ組立体を構成するホルダの突起部は、突起部に設けられた傾斜案内部にガイドされる。従って、ハウジングの取付孔に、レンズ組立体を容易に挿着させることができる。
【００７８】
請求項８に記載の発明によれば、ハウジングに設けられた取付孔に、レンズ組立体を構成するホルダが挿入されるときに、ホルダの先端部に無理な力が加えられることなく、ハウジングの取付孔に、レンズ組立体を構成するホルダを挿入させることができる。ホルダを構成する略円筒状の周壁は、ホルダの中間部から先端部にかけて次第に薄肉に形成されているので、ホルダの先端部は、弾性に優れたものとなる。このように、ホルダの先端部は、可撓性に優れたものとして形成されているので、レンズ組立体を構成するホルダが、ハウジングに設けられた取付孔に挿入されるときに、ホルダに無理な力が加えられるといったことを防止させることができる。また、ホルダを構成する略円筒状の周壁が、ホルダの中間部から先端部にかけて次第に薄肉に形成され、且つ、ハウジングに設けられた取付孔の内周部に当接される突起部が、ホルダの先端部の外周部に設けられたものとされていれば、ホルダを備えるレンズ組立体が、ハウジングの取付孔に挿入されるときに、ホルダの先端部は、適度に撓まされる。従って、ホルダを備えるレンズ組立体が、ハウジングの取付孔に挿入されるときに、ホルダの先端部の外周部に設けられた突起部が削らされるということは、防止され易くなる。また、ハウジングに対し、ホルダを備えるレンズ組立体の取付位置が調整されるときに、ホルダの先端部の外周部に設けられた突起部が削らされるということも、防止され易くなる。
【００７９】
請求項９に記載の発明によれば、ハウジングに設けられた取付孔の精度が低いものとされていても、レンズ組立体を構成するホルダは、ハウジングの取付孔に確実に挿入される。ホルダの先端部に複数の肉盗み部が設けられて、ホルダの先端部は、複数の突出部を備えるものとして形成されているので、例えばハウジングの取付孔が略楕円形状に形成されていても、ホルダの先端部は、ハウジングの取付孔に入られ易くなる。従って、ハウジングの取付孔に、レンズ組立体を構成するホルダを確実に挿着させることができる。
【００８０】
請求項１０に記載の発明によれば、ホルダにレンズを確実に固定させることができる。ホルダにレンズが備えられ、ホルダの先端部に設けられた肉盗み部に接着剤が流し込まれ
るので、ホルダの肉盗み部と、レンズの周縁部とで接着が行われる。従って、レンズに通される光に悪影響が及ぼされることなく、ホルダにレンズを正常に接着固定させることができる。
【００８１】
請求項１１に記載の発明によれば、容易で迅速にホルダにレンズを固定させることができる。紫外線硬化型接着剤に紫外線が照射されることで、紫外線硬化型接着剤の硬化反応が促進され、レンズは、ホルダに速やかに接着される。また、紫外線硬化型接着剤が用いられて、ホルダにレンズが接着されるので、ハウジングに精度よくレンズを接着固定させることができる。
【００８２】
請求項１２に記載の発明によれば、略湾曲状に形成された位置調整部材は、略円筒状に形成されたホルダの溝に、確実に合わせられる。略湾曲状の位置調整部材に対応した溝がホルダに設けられ、この溝に位置調整部材が合わせられるので、ホルダの溝に沿って、確実に位置調整部材をホルダに取り付けることができる。
【００８３】
請求項１３に記載の発明によれば、略湾曲状に形成された位置調整部材は、略円筒状に形成されたホルダの溝に、確実に嵌め合わせられる。略湾曲状に形成された位置調整部材が、略円筒状に形成されたホルダの溝に取り付けられるときに、略湾曲状に形成された位置調整部材の両端部が広げられて、ホルダの溝に位置調整部材が装着され、ホルダの溝に位置調整部材が装着されたのちの位置調整部材は、位置調整部材に発生された復元弾性力により、位置調整部材の両端部が狭められるので、ホルダの溝から位置調整部材が不用意に抜け落とされるということは、防止される。このように、位置調整部材に復元弾性力が発生されるので、ホルダに設けられた溝に、確実に位置調整部材を嵌着させることができる。
【００８４】
請求項１４に記載の発明によれば、位置調整部材は、確実にホルダの溝に嵌め合わせられる。ホルダに設けられた溝の底面に、位置調整部材の内周面が当接された状態で、位置調整部材がホルダの溝に嵌め合わせられるので、位置調整部材は、ホルダに設けられた溝の底面に抱き付いた状態で、ホルダに取り付けられる。従って、位置調整部材がホルダの溝から抜け落とされるということは、回避され易くなり、ホルダの溝に、確実に位置調整部材を嵌着させることができる。
【００８５】
請求項１５に記載の発明によれば、ホルダの外周面よりも位置調整部材の外周面が外側に位置することなく、ホルダの溝に、位置調整部材を嵌着させることができる。ホルダの溝に位置調整部材が嵌め合わせられてレンズ組立体が構成され、このレンズ組立体が挿入可能な取付孔が、ハウジングに設けられたものにおいては、レンズ組立体がハウジングの取付孔に挿入されて光ピックアップ装置が組み立てられるときに、ハウジングの取付孔に、スムーズにレンズ組立体が挿入されることが要求される。ホルダの溝に位置調整部材が嵌め合わせられたときに、ホルダの外周面よりも内側に、位置調整部材の外周面が位置する状態とされて、レンズ組立体が構成されていれば、ハウジングの取付孔にレンズ組立体が挿着されるときに、ハウジングの取付孔にレンズ組立体の位置調整部材が引っ掛けられるということは回避され、ハウジングの取付孔に、スムーズにレンズ組立体を挿着させることができる。
【００８６】
請求項１６に記載の発明によれば、ホルダの溝内に、確実に位置調整部材を固定されることができる。ホルダに対して位置調整部材が固定されるときに、略湾曲状に形成された位置調整部材の両側部と、位置調整部材に対応してホルダに設けられた溝の両側部とに、接着剤が塗布されるので、ホルダに設けられた溝内で位置調整部材が動かされるということは、防止される。従って、ホルダの溝内に、位置調整部材を確実に固着させることができる。
【００８７】
請求項１７に記載の発明によれば、ホルダに位置調整部材を速やかに固定させることができる。ホルダに対して位置調整部材が固定されるときに、速やかに接着が行われる瞬間接着剤が用いられて、ホルダに位置調整部材が固定されるので、ホルダに対する位置調整部材の固定作業は、迅速に行われる。このように、瞬間接着剤が用いられることで、位置調整部材を迅速にホルダに固着させることができる。
【００８８】
請求項１８に記載の発明によれば、ハウジングに対し、位置調整部材を備えるレンズ組立体の取付位置の調整は、容易に行われる。ハウジングに対するレンズ組立体の取付位置を調整可能な位置調整部が、位置調整部材に設けられ、位置調整部に対応した位置調節部が、ハウジングに設けられているので、位置調整部材を備えるレンズ組立体がハウジングに取り付けられるときに、レンズ組立体を構成する位置調整部材の位置調整部と、ハウジングの位置調節部との位置が調整されることで、ハウジングに対するレンズ組立体の取付位置が調整される。
【００８９】
請求項１９に記載の発明によれば、ハウジングに対して、位置調整部材を備えるレンズ組立体の取付位置の調整は、正確に行われる。レンズ組立体を構成する位置調整部材の位置調整用孔と、ハウジングの位置調節用孔とが略合わせられ、位置調整用孔および位置調節用孔に、位置調整用治具が通され、位置調整用治具が動かされることで、ハウジングに対するレンズ組立体の取付位置が調整されるので、ハウジングに対するレンズ組立体の位置調整を正確に行うことができる。
【００９０】
請求項２０に記載の発明によれば、ハウジングにレンズ組立体を確実に接着させて固定させることができる。ハウジングに対するレンズ組立体の取付位置が調整されたのちに、ハウジングに設けられた位置調節用孔に接着剤が流し込まれて、ハウジングと、レンズ組立体との接着作業が行われるので、レンズ組立体は、容易にハウジングに接着固定される。
【００９１】
請求項２１に記載の発明によれば、容易で迅速に、ハウジングにレンズ組立体を固定させることができる。紫外線硬化型接着剤に紫外線が照射されることで、紫外線硬化型接着剤の硬化反応が促進され、レンズ組立体は、ハウジングに速やかに接着される。また、紫外線硬化型接着剤が用いられて、ハウジングにレンズ組立体が接着されるので、ハウジングに精度よくレンズ組立体を接着固定させることができる。
【００９２】
請求項２２に記載の発明によれば、ハウジングに対してレンズ組立体の位置調整作業が繰返し行われることがあっても、ホルダと位置調整部材とを備えるレンズ組立体を、精度よくハウジングに取り付けることができる。例えば、ホルダと、位置調整部材とが一体化され、樹脂材料が用いられて、位置調整部を備えるホルダが形成され、このようなホルダを備えるレンズ組立体と、ハウジングとの位置調整作業が繰返し行われた場合、最適な位置調整作業ができなくなるといったことが心配されていた。例えば、樹脂製ホルダの位置調整部に、位置調整用治具などが繰り返して押し当てられた場合、樹脂製ホルダの位置調整部が削らされて、ハウジングに対するレンズ組立体の最適な位置調整作業が行われなくなるといったことが懸念されていた。樹脂材料は、一般に金属材料よりも摺動性に優れ、ホルダなどの成形体の低コスト化を図るうえで有利なものとされている。これに対し、金属材料は、一般に樹脂材料よりも耐摩耗性に優れるものとされている。樹脂材料が用いられてホルダが形成され、金属材料が用いられて位置調整部材が形成されていれば、例えば位置調整用治具が用いられて、ハウジングに対するレンズ組立体の位置調整作業が繰返し行われても、金属製位置調整部材が削らされるということは、防止される。従って、ハウジングに対するレンズ組立体の位置調整作業が繰り返して実行可能とされた光ピックアップ装置を提供することができる。
【００９３】
請求項２３に記載の発明によれば、ダイバージェントレンズを備えるレンズ組立体を、精度よくハウジングに組み付けることができる。ダイバージェントレンズは、発光素子から出射された光を集めるものとされている。ハウジングに対し、ダイバージェントレンズの取付位置がずらされていると、光ピックアップ装置における光路の設定がずらされ、このことから、光ピックアップ装置に動作不良が生じるといったことが懸念されていた。しかしながら、ダイバージェントレンズを備えるレンズ組立体が、精度よくハウジングに組み付けられていれば、光路調整が精度よく行われた光ピックアップ装置を提供することができる。
【００９４】
請求項２４に記載の発明によれば、ハウジングに精度よくレンズ組立体を取り付けることができる。レンズを備えるレンズ組立体をハウジングに取り付けるときに、位置調整用治具を用いて、ハウジングに対するレンズ組立体の取付位置の調整を行うので、ハウジングに精度よくレンズ組立体を取り付けることができる。従って、光ピックアップ装置の組立作業を行うときに、光ピックアップ装置に精度よく光路を設定させることができる。
【００９５】
請求項２５に記載の発明によれば、ハウジングにレンズ組立体を取り付けて、ハウジングに対するレンズ組立体の取付位置を調整させるときの作業は、精度よく容易に行われる。レンズ組立体をハウジングに取り付けるときに、位置調整部材の位置調整用孔と、ハウジングの位置調節用孔とを略合わせ、位置調整部材の位置調整用孔と、ハウジングの位置調節用孔とに、位置調整用治具を挿入させて、位置調整用治具の第二ピンをハウジングの位置調節用孔に合わせることで、位置調整用治具の第一ピンが位置調整部材の位置調整用孔に合わせられ、位置調整用治具の第二ピンを回動させることで、第二ピンの先に設けられた第一ピンにより、レンズ組立体の位置調整部材を押動させるので、レンズと位置調整部材とを備えるレンズ組立体の取付位置の調整を、精度よく容易に行うことができる。
【００９６】
請求項２６に記載の発明によれば、ハウジングにレンズ組立体を取り付けて、ハウジングに対するレンズ組立体の取付位置を調整させるときの作業は、さらに精度よく容易に行われる。ハウジングに設けられた位置調節用の丸穴に、位置調整用治具の第二ピンの挿入を止めさせる停止部が設けられているので、ハウジングに対し、位置調整用治具は、位置決めされた状態でハウジングの丸穴内に挿入される。また、略円柱形の第二ピンを回動させることで、ハウジングの位置調節用孔に設けられた停止部の一端部から他端部にかけて略円柱形の第一ピンが略円弧状に回動され、そのときに、位置調整用治具の第一ピンは、位置調整部材の略長円形をした位置調整用孔の短径部の一側部または他側部を押動し、且つ、位置調整用治具の第一ピンは、位置調整部材に設けられた略長円形の位置調整用孔の長径方向に沿って移動する構造のものとされているので、ハウジングに対し、光軸方向に沿ったレンズ組立体の取付位置の調整は、精度よく容易に行われる。従って、ハウジングに対するレンズ組立体の取付位置の調整を、さらに精度よく容易に行うことができる。
【発明を実施するための最良の形態】
【００９７】
以下に本発明に係る光ピックアップ装置およびその組立方法の一実施の形態を図面に基づいて詳細に説明する。
【００９８】
図１は、本発明に係る光ピックアップ装置およびその組立方法の一実施の形態を示す拡大分解斜視図、図２は、位置調整部材を備えるホルダにレンズが取り付けられてレンズ組立体が構成される状態を示す分解斜視図、図３は、同じく位置調整部材を備えるホルダにレンズが取り付けられてレンズ組立体が構成される状態を示す分解斜視図、図４は、ハウジングにレンズ組立体が組み付けられる状態を示す拡大分解斜視図、図５は、ハウジングにレンズ組立体が組み付けられて光ピックアップ装置が構成される状態を示す分解斜視図である。
【００９９】
図６は、ホルダに位置調整部材が取り付けられる状態を示す説明図、図７は、同じくホルダに位置調整部材が取り付けられる状態を示す説明図、図８は、ホルダに位置調整部材が取り付けられた状態を示す説明図である。図９は、ハウジングにレンズ組立体が組み付けられた状態を示す説明図、図１０は、同じくハウジングにレンズ組立体が組み付けられた状態を示す説明図、図１１は、ホルダにレンズが取り付けられた状態を示す拡大説明図、図１２は、光ピックアップ装置の光路を示す説明図、図１３は、光ピックアップ装置に使用される治具の一例を示し、（ａ）は、治具を示す側面図、（ｂ）は、治具を示す正面図である。
【０１００】
図５は、光ピックアップ装置を下側から眺めた図とされている。この明細書における光ピックアップ装置１の各方向について、図５を用いて説明すると、Ｘ軸方向が光ピックアップ装置１の奥行き方向とされ、Ｙ軸方向が光ピックアップ装置１の高さ方向とされ、Ｚ軸方向が光ピックアップ装置１の幅方向とされる。なお、この明細書におけるＸ軸方向、Ｙ軸方向、Ｚ軸方向の定義は、光ピックアップ装置１を説明するための便宜上のものとされる。光ピックアップは、「ＯＰＵ」と呼ばれている。「ＯＰＵ」は、「optical pickup」の略称とされる。
【０１０１】
光学式ピックアップ装置１（図５，図１２）が用いられて、メディア６００（図１２）における情報などのデータの再生または記録が行われる。メディア６００として、例えば、ＣＤ−ＲＯＭ，ＤＶＤ−ＲＯＭなどの読出し専用の光ディスクや、ＣＤ−Ｒ，ＤＶＤ−Ｒ，ＤＶＤ＋Ｒなどの追記型の光ディスクや、ＣＤ−ＲＷ，ＤＶＤ−ＲＷ，ＤＶＤ＋ＲＷ，ＤＶＤ−ＲＡＭなどの書込み／消去や書換え可能なタイプの光ディスクなどといった各種光ディスクが挙げられる。
【０１０２】
上述した如く、「ＣＤ」は、「Compact Disc」の略称とされる。また、「ＤＶＤ」は、「Digital Versatile Disc」もしくは「Digital Video Disc」の略称とされる。また、「ＣＤ−ＲＯＭ」もしくは「ＤＶＤ−ＲＯＭ」の「ＲＯＭ」は、「Read Only Memory」の略称とされ、ＣＤ−ＲＯＭもしくはＤＶＤ−ＲＯＭは、データ読出し専用のものとされている。また、「ＣＤ−Ｒ」または「ＤＶＤ−Ｒ」もしくは「ＤＶＤ＋Ｒ」の「Ｒ」は、「Recordable」の略称とされ、ＣＤ−ＲまたはＤＶＤ−ＲもしくはＤＶＤ＋Ｒは、データの書込みが可能なものとされている。また、「ＣＤ−ＲＷ」または「ＤＶＤ−ＲＷ」もしくは「ＤＶＤ＋ＲＷ」の「ＲＷ」は、「ReWritable」の略称とされ、ＣＤ−ＲＷまたはＤＶＤ−ＲＷもしくはＤＶＤ＋ＲＷは、データの書換えが可能なものとされている。また、「ＤＶＤ−ＲＡＭ」は、「Digital Versatile Disc Random Access Memory 」の略称とされ、データの読み書き・消去が可能なものとされている。
【０１０３】
光ピックアップ装置１は、前記各種の光ディスクに記録されたデータを再生させたり、前記書込み可能もしくは書換え可能な各種光ディスクにデータを記録させたりするものとされている。光ピックアップ装置１は、ＣＤ系のメディアと、ＤＶＤ系のメディアとに対応したものとされている。
【０１０４】
ＣＤ用レーザドライバ１０（図１２）からＣＤ用発光素子２０へ電流が流されて、ＣＤ用発光素子２０からレーザ光が出力される。ＣＤ用発光素子２０は、波長が約７８０〜７９０ｎｍ（ナノメータ）のレーザ光を出射するＣＤ用レーザダイオード２０として構成されている。上述した如く、レーザダイオードは、「ＬＤ」と呼ばれている。「ＬＤ」は、「Laser Diode 」の略称とされている。ＣＤ用ＬＤ２０は、レーザホルダ３０内に収容されている。上述した如く、レーザホルダは、ＬＤを保持するものとされていることから、ＬＤホルダ等と略称されている。
【０１０５】
また、レーザドライバは、「ＬＤＤ」等と呼ばれている。上述した如く、レーザドライバ（ＬＤＤ）は、「ＬＤ Driver 」の略称とされ、ＬＤ２０を駆動させてＬＤ２０からレーザ光を出射させるレーザ駆動回路とされている。ＬＤＤ１０からＬＤ２０に電流が供給されて、ＬＤ２０から出射されたレーザ光により、ＣＤ−Ｒなどのディスク６００に情報の記録が行われたり、ＣＤ−Ｒなどのディスク６００に記録された情報が再生されたりされる。
【０１０６】
ＬＤ２０から出力されたレーザ光は、１／２波長板＋回折格子４０、ダイバージェントレンズ５０を通り抜け、第一のプリズム９０内を略直角に屈折して通り抜け、第二のプリズム１９０、コリメータレンズ２００を通り抜け、ハーフミラー２１０において略直角に反射され、対物レンズ２２０を通り抜けて、ディスク６００に照射される。
【０１０７】
１／２波長板＋回折格子４０は、１／２波長板と、回折格子とが、一つのものとして合わせられたものとされている。回折格子は、光の回折を利用して、ＬＤ２０から出射されたレーザ光を幾つかに分けるものとされている。詳しく説明すると、回折格子は、光の回折を利用して、ＬＤ２０から出されたレーザ光を一つのメインビームと、二つのサブビームとに分ける役割を果たすものとされている。また、１／２波長板は、直線偏光（Ｓ波）を直線偏光（Ｐ波）に変えるものとされている。１／２波長板＋回折格子４０は、これらの二つの特性を合わせ持ったものとされている。
【０１０８】
ダイバージェントレンズ５０は、ＬＤ２０から出射されたレーザ光を集めるものとされている。プリズム９０，１９０は、ＤＶＤ用のレーザ光がプリズム９０，１９０内を透過されるときに、ディスク６００に照射されるレーザ光に非点が出されないものとされるために、レーザ光の光路上に設けられている。非点とは、例えばピントの位置ずれを意味するものとされている。
【０１０９】
コリメータレンズ２００は、プリズム１９０側からレンズ２００に入った光を略平行光にするものとされている。平行光とは、光線が広がらずにどこまでも平行に進む光を意味する。これに対し、拡散光とは、さまざまな方法に光を拡散させて照射させる光源の光を意味する。ハーフミラー２１０は、略半分の光が透過され、略半分の光が反射されるものとされている。このハーフミラー２１０は、光の透過性に優れるガラスが用いられて形成されている。上述した如く、ハーフミラー（Half Mirror ）は、「ＨＭ」と略称されている。
【０１１０】
対物レンズ２２０は、ＬＤ２０から出されたレーザ光をディスク６００上に集光させる役割を果たすものとされている。上述した如く、対物レンズは、「Objective Lens」と呼ばれ、「ＯＢＬ」と略称されている。合成樹脂製のＯＢＬ２２０は、合成樹脂製のレンズホルダ（図示せず）に装着されている。
【０１１１】
ディスク６００に対し、ＯＢＬ２２０を備える前記レンズホルダのフォーカスサーボが行われるときに、ＯＢＬ２２０を備える前記レンズホルダは、図５に示すＹ軸方向に沿って動かされる。また、ディスク６００（図１２）に対し、ＯＢＬ２２０を備える前記レンズホルダのトラッキングサーボが行われるときに、ＯＢＬ２２０を備える前記レンズホルダは、図５に示すＺ軸方向に沿って動かされる。
【０１１２】
フォーカスとは、焦点やピントを意味する。また、トラッキングとは、光を用いて、ディスク６００（図１２）に設けられた微小なピット（穴、凹み）や、グルーブ（溝）、ウォブル（蛇行）などを追跡観測し、螺旋状に描かれた軌道の位置を定めることを意味する。上述した如く、サーボもしくはサーボ機構とは、制御の対象とされるものの状態を測定し、測定したものと基準値とを比較して、自動的に修正制御を行わせる機構のものを意味
する。
【０１１３】
また、ＬＤ２０から出力されるレーザ光の一部は、１／２波長板＋回折格子４０、ダイバージェントレンズ５０を通り抜け、第一のプリズム９０内を略直角に屈折して通り抜け、第二のプリズム１９０、コリメータレンズ２００、ＨＭ２１０を通り抜けて、受光素子２３０に入る。ＬＤ２０から出射されたレーザ光の一部は、ＨＭ２１０の裏側において、受光素子２３０により検出される。受光素子２３０は、レーザ光の一部が照射されるフロントモニタダイオード２３０として構成されている。上述した如く、フロントモニタダイオード（Front Monitor Diode ）は、「ＦＭＤ」と略称されている。フロントモニタダイオード（ＦＭＤ）は、レーザダイオード（ＬＤ）から出力されるレーザ光をモニタして、レーザダイオード（ＬＤ）の制御のためにフィードバックをかける受光素子とされている。ＦＭＤ２３０は、ハウジング３００（図５）において、光ピックアップ装置１のＸ軸方向に沿った光路の一方の末端に位置する（図５，図１２）。
【０１１４】
また、ディスク６００（図１２）から反射されたレーザ光の一部は、ＯＢＬ２２０を通り抜け、ＨＭ２１０において略直角に反射され、コリメータレンズ２００、第二のプリズム１９０、第一のプリズム９０、アナモレンズ２４０を通り抜けて、フォトダイオードＩＣ２５０に当てられる。フォトダイオードＩＣ２５０は、ハウジング３００（図５）において、光ピックアップ装置１のＸ軸方向に沿った光路の他方の末端に位置する（図５，図１２）。
【０１１５】
アナモレンズ２４０（図１２）は、レーザ光の非点収差を発生させるものとされている。非点収差とは、ピント位置の差を意味する。フォトダイオードＩＣ２５０は、ディスク６００から反射されたレーザ光を受けて、その信号を電気信号に変えて、光学式ピックアップ装置１を構成するＯＢＬ２００付レンズホルダ（図示せず）のサーボ機構（図示せず）を動作させるための光検出器とされている。上述した如く、フォトダイオードＩＣ（Photo Diode IC）は、「ＰＤＩＣ」と略称されている。
【０１１６】
また、ＤＶＤ用レーザドライバ１１０（図１２）からＤＶＤ用発光素子１２０へ電流が流されて、ＤＶＤ用発光素子１２０からレーザ光が出力される。ＤＶＤ用発光素子１２０は、波長が約６５０〜６６０ｎｍ（ナノメータ）のレーザ光を出射するＤＶＤ用レーザダイオード１２０として構成されている。ＤＶＤ用ＬＤ１２０は、レーザホルダ１３０内に収容されている。ＬＤＤ１１０は、ＬＤ１２０を駆動させてＬＤ１２０からレーザ光を出射させるレーザ駆動回路とされている。ＬＤＤ１１０からＬＤ１２０に電流が供給されて、ＬＤ１２０から出射されたレーザ光により、ＤＶＤ−Ｒなどのディスク６００に情報の記録が行われたり、ＤＶＤ−Ｒなどのディスク６００に記録された情報が再生されたりされる。
【０１１７】
ＬＤ１２０から出力されたレーザ光は、ダイバージェントレンズ１４０、１／２波長板＋回折格子１５０を通り抜け、プリズム１９０内を略直角に屈折して通り抜け、コリメータレンズ２００を通り抜け、ハーフミラー２１０において略直角に反射され、ＯＢＬ２２０を通り抜けて、ディスク６００に照射される。上述した如く、１／２波長板＋回折格子１５０は、１／２波長板と、回折格子とが、一つのものとして合わせられたものとされている。
【０１１８】
また、ＬＤ１２０から出力されるレーザ光の一部は、ダイバージェントレンズ１４０、１／２波長板＋回折格子１５０を通り抜け、プリズム１９０内を略直角に屈折して通り抜け、コリメータレンズ２００、ＨＭ２１０を通り抜けて、受光素子２３０に入る。ＬＤ１２０から出射されたレーザ光の一部は、ＨＭ２１０の裏側において、受光素子２３０により検出される。
【０１１９】
また、ディスク６００から反射されたレーザ光の一部は、ＯＢＬ２２０を通り抜け、ＨＭ２１０において略直角に反射され、コリメータレンズ２００、第二のプリズム１９０、第一のプリズム９０、アナモレンズ２４０を通り抜けて、フォトダイオードＩＣ２５０に当てられる。
【０１２０】
上記ＬＤＤ１０、上記ＬＤ２０を備える上記ＬＤホルダ３０、上記１／２波長板＋回折格子４０、上記ダイバージェントレンズ５０、上記第一のプリズム９０、上記ＬＤＤ１１０、上記ＬＤ１２０を備える上記ＬＤホルダ１３０、上記ダイバージェントレンズ１４０、上記１／２波長板＋回折格子１５０、上記第二のプリズム１９０、上記コリメータレンズ２００、上記ＨＭ２１０、上記ＯＢＬ２２０、上記ＦＭＤ２３０、上記アナモレンズ２４０、上記ＰＤＩＣ２５０は、ハウジング３００（図５）に装備されている。上述した如く、ハウジングとは、部品が収容される箱形のもの等の物が入れられる箱や、箱に類似したものを意味するものとされている。また、コリメータレンズ２００（図１２）、ＯＢＬ２２０、ＦＭＤ２３０に対し、ＨＭ２１０は、傾けられた状態でハウジング内に固定されている。
【０１２１】
前記ＬＤ２０、前記１／２波長板＋回折格子４０、前記ダイバージェントレンズ５０、前記第一のプリズム９０、前記ＬＤ１２０、前記ダイバージェントレンズ１４０、前記１／２波長板＋回折格子１５０、前記第二のプリズム１９０、前記コリメータレンズ２００、前記ＨＭ２１０、前記ＯＢＬ２２０、前記ＦＭＤ２３０、前記アナモレンズ２４０、前記ＰＤＩＣ２５０は、光ピックアップ装置１を構成する光学系部品とされている。
【０１２２】
また、前記ＬＤＤ１０、前記ＬＤ２０、前記ＬＤＤ１１０、前記ＬＤ１２０、前記ＦＭＤ２３０、前記ＰＤＩＣ２５０は、フレキシブルプリント回路体などのフレキシブル基板５に通電可能に接続されている。フレキシブル基板５も上記ハウジング３００（図５）に装備される。上述した如く、フレキシブルプリント回路体は、「ＦＰＣ」と略称されている。また、「ＦＰＣ」は、「Flexible Printed Circuit」の略称とされている。フレキシブルプリント回路体（ＦＰＣ）は、複数の回路導体５ｐ（図１２）が絶縁シート５ｑに印刷されて、例えば銅箔などの金属箔５ｐが絶縁シート５ｑに並設され、その上に透明もしくは半透明の不図示の保護層が設けられたものとされている。
【０１２３】
半田付けが行われることで、ＬＤＤ１０，１１０、ＬＤ２０，１２０、ＦＭＤ２３０、ＰＤＩＣ２５０などの各種電気／電子部品が、フレキシブル基板５に通電可能に接続されるために、フレキシブル基板５の絶縁シート５ｑは、耐熱性に優れるポリイミド系樹脂などの耐熱性合成重合体が用いられて形成されている。ポリイミド樹脂が用いられて絶縁シート５ｑが形成されたＦＰＣ５として、例えば日東電工社製のものなどが挙げられる。
【０１２４】
また、半田材として、環境に配慮された鉛を含有しない半田いわゆる鉛フリー半田が用いられた。半田材として、鉛フリー半田が用いられていれば、例えば光ピックアップ装置１もしくは光ピックアップ装置１に装備されたフレキシブル基板５が廃棄されるときに、鉛により自然環境に影響が及ぼされるということは回避される。鉛フリー半田として、例えば千住金属工業社製：エコソルダＭ３０などが挙げられる。なお、前記鉛フリー半田に代えて、通常の半田材が用いられたものも使用可能とされる。通常の半田材として、例えば千住金属工業社製：スパークルペーストＯＺシリーズ等が挙げられる。
【０１２５】
光ピックアップ装置１（図５）を構成するハウジング３００は、マグネシウム（Ｍｇ）を含有するダイカスト合金が用いられて形成されている。また、光ピックアップ装置１を構成するハウジング３００は、上記各部品が装備されるハウジング本体３０１と、ハウジング本体３０１から突設され光ディスク装置（図示せず）を構成する第一ガイド軸（図示
せず）と合わせられる第一ガイド部３１１と、第一ガイド部３１１に対し反対側に向けてハウジング本体３０１から突設され光ディスク装置（図示せず）を構成する第二ガイド軸（図示せず）と合わせられる一対の第二ガイド部３１２，３１２とを備えるものとして形成されている。
【０１２６】
光学式ピックアップ装置１は、上述した各種のものを備えるものとして構成されている。光学式ピックアップ装置１は、図示されたもの以外に、他のもの（図示せず）も備えるものとされているが、図１２においては、それらの他のものは、便宜上、省略した。
【０１２７】
光ピックアップ装置１（図５）は、レーザ光が通される略無色透明の合成樹脂製のレンズ５０（図１，図１２）と、レンズ５０（図１）が取り付けられる合成樹脂製のホルダ６０と、ホルダ６０に取り付けられる金属製の位置調整部材７０と、ホルダ６０が取り付けられる金属製のハウジング３００とを少なくとも備えるものとして構成されている。
【０１２８】
レンズ５０（図１〜図５，図９〜図１２）は、ＬＤ２０（図１２）から出力されたレーザ光を集めるダイバージェントレンズ５０（図１〜図４，図１２）として形成されている。図１１の如く、レンズ５０の一端部５６側に、曲面状凹部５１が設けられている。また、レンズ５０の他端部５７側に、曲面状凸部５２が設けられている。
【０１２９】
ホルダ６０（図１〜図３）に、レンズ５０と、位置調整部材７０とが取り付けられることで、図４および図５の如く、レンズ組立体８０が構成される。レンズ組立体８０がハウジング３００に組み付けられるときに、レンズ組立体８０は、ハウジング３００に対して取付位置が調整可能な状態で組み付けられる。
【０１３０】
このような構造のものが構成されていれば、レンズ組立体８０は、ハウジング３００に精度よく組み付けられる。レーザ光が通される略無色透明の合成樹脂製のレンズ５０と、このレンズ５０が取り付けられる合成樹脂製のホルダ６０と、このホルダ６０に取り付けられる金属製の位置調整部材７０とを備えるレンズ組立体８０は、ハウジング３００に対し、取付位置が調整可能な状態で組み付けられるので、レンズ組立体８０は、精度よくハウジング３００に組み付けられる。
【０１３１】
従って、レンズ５０を備えるレンズ組立体８０がハウジング３００に精度よく取り付けられ、ハウジング３００に装備された各光学系部品（図１２）に対し、精度よく光路調整が行われた光ピックアップ装置１を、不図示の光ディスク装置の組立メーカや、光ピックアップ装置１の組立メーカなどに提供することが可能となる。
【０１３２】
図１，図４，図５の如く、ハウジング３００に、レンズ組立体８０が挿入可能な取付孔３８０が設けられている。レンズ組立体８０は、ハウジング３００の取付孔３８０内に圧入嵌合された状態で取り付けられる。
【０１３３】
ハウジング３００の取付孔３８０内に、レンズ組立体８０が圧入嵌合されていれば、レンズ組立体８０は、ハウジング３００に設けられた取付孔３８０から抜け落とされることなく、ハウジング３００の取付孔３８０に確実に挿着される。ハウジング３００の取付孔３８０にレンズ組立体８０が圧入嵌合されて、ハウジング３００にレンズ組立体８０が取り付けられるので、ハウジング３００に対するレンズ組立体８０の取付作業が行われたときに、ハウジング３００の取付孔３８０からレンズ組立体８０が不用意に抜け落とされ、このことから、レンズ組立体８０が見失われるということは、防止される。従って、ハウジング３００に対するレンズ組立体８０の取付作業は、歩留りよく効率的に行われる。
【０１３４】
図１，図４，図５の如く、ハウジング３００に、レンズ組立体８０が圧入の状態で挿入
可能な略円筒孔状の取付孔３８０が設けられている。また、図１〜図４の如く、レンズ組立体８０を構成する略円筒状のホルダ６０の外周部６３，６４に、ハウジング３００（図１，図４）の取付孔３８０の内周面３８５に当接される複数の突起６５，６６（図１〜図４）が設けられている。
【０１３５】
このような複数の突起６５，６６がホルダ６０の外周部６３，６４に突設されていれば、レンズ組立体８０は、ハウジング３００の取付孔３８０に確実に挿着される。ハウジング３００の取付孔３８０に、ホルダ６０を備えるレンズ組立体８０が挿着されるときに、ホルダ６０の外周部６３，６４に設けられた突起６５，６６が、ハウジング３００に設けられた取付孔３８０の内周面３８５に当接されるので、ホルダ６０を備えるレンズ組立体８０は、ハウジング３００の取付孔３８０の収容部３８３内に確実に保持される。従って、レンズ組立体８０は、ハウジング３００に確実に組み付けられる。
【０１３６】
図２，図３の如く、ホルダ６０は、略円筒状に形成されている。ホルダ６０は、レンズ５０の一端部５６が当接される略中空円板状の基壁６１ｐと、基壁６１ｐに対し略直交する方向に延設された略円筒状の周壁６１ａとを備えるものとして形成されている。ホルダ６０の基壁６１ｐに、レーザ光が通される貫通孔６１ｑが設けられている。
【０１３７】
ホルダ６０を正面側（図６〜図１０）または背面側から見たときに、ホルダ６０の外周部６３，６４に、四箇所の突起６５，６６が設けられている。ホルダ６０を正面側または背面側から見たときに、各突起６５，６６は、ホルダ６０の外周部６３，６４の円周上において、略円筒状ホルダ６０の外周部６３，６４の円周方向に沿って略等間隔に設けられている。即ち、ホルダ６０の外周部６３，６４の円周上において、各突起６５，６６は、略均等に分けられて設けられている。ホルダ６０を正面側または背面側から見たときに、ホルダ６０の中心から放射状に延長された線上に、各突起６５，６６が位置するものとされている。
【０１３８】
このような各突起６５，６６がホルダ６０の外周部６３，６４に突設されていれば、ハウジング３００に設けられた取付孔３８０の収容部３８３内の寸法精度が、多少、低いものとされていても、レンズ組立体８０は、姿勢が整えられた状態で、ハウジング３００に取り付けられる。略円筒状ホルダ６０の外周部６３，６４の円周方向に沿って、複数の突起６５，６６が略等間隔に設けられているので、ハウジング３００の取付孔３８０に、ホルダ６０を備えるレンズ組立体８０が挿入されて、ハウジング３００に対し、ホルダ６０を備えるレンズ組立体８０の取付位置が調整されるときに、レンズ組立体８０の姿勢が変動されるということは、抑えられる。従って、ハウジング３００に取り付けられたレンズ組立体８０の取付位置が調整されるときに、レンズ組立体８０の姿勢が崩されるということは回避され、レンズ組立体８０は、姿勢が整えられた状態で、ハウジング３００に組み付けられる。
【０１３９】
図１および図４の如く、レンズ組立体８０を構成するホルダ６０が取付孔３８０に挿入され始める側を、ホルダ６０の先端部６０ａ側とする。また、前記先端部６０ａに対する反対側、即ち、レンズ組立体８０を構成するホルダ６０が、取付孔３８０に挿入されるときに、不図示の治工具が用いられてホルダ６０が押圧される側を、ホルダ６０の後端部６０ｃ側とする。このようにホルダ６０の前後方向を定義する。
【０１４０】
図１〜図４の如く、ホルダ６０の先端部６０ａと、ホルダ６０の後端部６０ｃとの両側に、複数の突起６５，６６が設けられている。略円筒形のホルダ６０の外周部６３，６４に設けられた合計八箇所の突起６５，６６は、全てハウジング３００（図１，図４，図９，図１０）に設けられた取付孔３８０の内周面３８５に接触するものとされている。
【０１４１】
ホルダ６０の先端部６０ａと、ホルダ６０の後端部６０ｃとの両側に、複数の突起６５，６６が設けられていれば、ハウジング３００に設けられた取付孔３８０の収容部３８３内の寸法精度が、多少、低いものとされていても、ホルダ６０を備えるレンズ組立体８０は、ハウジング３００の取付孔３８０の収容部３８３内に確実に組み付けられる。ホルダ６０の先端部６０ａと、ホルダ６０の後端部６０ｃとに、突起６５，６６が設けられているので、ハウジング３００の取付孔３８０に、ホルダ６０を備えるレンズ組立体８０が挿入されて、ハウジング３００に対し、ホルダ６０を備えるレンズ組立体８０の取付位置が調整されるときに、レンズ組立体８０の姿勢が変動されるということは、抑えられる。従って、ハウジング３００に取り付けられたレンズ組立体８０の取付位置が調整されるときに、レンズ組立体８０の姿勢が崩されるということは防止され、レンズ組立体８０は、姿勢が整えられた状態で、ハウジング３００に組み付けられる。
【０１４２】
図１〜図３の如く、ホルダ６０は、略円筒状に形成されている。図６〜図１０の如く、ホルダ６０を略円環とされる側から見たときに、各突起６５，６６は、略三角形状に形成されている。ホルダ６０の外周部６３，６４に、三角形の底辺に相当する突起６５，６６の基部６５ｂ，６６ｂが設けられている。図９または図１０の如く、三角形の頂点に相当する突起６５，６６の尖端部６５ａ，６６ａが、略丸孔状の取付孔３８０の内周面３８５に当接される。レンズ組立体８０が取付孔３８０に圧入されるときに、ホルダ６０の外周部６３，６４に設けられた突起６５，６６の尖端部６５ａ，６６ａは、やや摩耗される。
【０１４３】
このような各突起６５，６６がホルダ６０に設けられていれば、ホルダ６０を備えるレンズ組立体８０は、ハウジング３００に設けられた取付孔３８０に圧入された状態で取り付けられる。略円筒状のホルダ６０の外周部６３，６４に設けられた突起６５，６６の尖端部６５ａ，６６ａが、ハウジング３００に設けられた取付孔３８０の内周面３８５に当接されるので、略丸孔状の取付孔３８０内の径寸法に、多少の「ばらつき」があるものとされていても、取付孔３８０内の径寸法の「ばらつき」は、突起６５，６６の尖端部６５ａ，６６ａにより吸収される。従って、レンズ組立体８０は、ハウジング３００に設けられた取付孔３８０の径寸法の「ばらつき」を吸収した状態で、ハウジング３００の取付孔３８０に挿着される。
【０１４４】
図４，図５の如く、ハウジング３００の取付孔３８０にレンズ組立体８０が挿入されるときに、レンズ組立体８０を構成するホルダ６０が取付孔３８０に挿入され易くさせる傾斜案内部６５ｃ（図２，図３，図１１）が、ホルダ６０の突起６５の前側に設けられている。詳しく説明すると、前記傾斜案内部６５ｃは、ホルダ６０の先端部６０ａ側における突起６５の前側に設けられている。この傾斜案内部６５ｃは、傾斜摺接面６５ｃとして形成されている。
【０１４５】
このような傾斜摺接面６５ｃが、ホルダ６０の先端部６０ａ側における突起６５の前側に設けられていれば、レンズ組立体８０を構成するホルダ６０がハウジング３００の取付孔３８０に挿入されるときに、突起６５を備えるホルダ６０は、容易にハウジング３００の取付孔３８０に挿入される。ホルダ６０の先端部６０ａ側における突起６５に、傾斜摺接面６５ｃが設けられているので、レンズ組立体８０がハウジング３００の取付孔３８０に挿着されるときに、レンズ組立体８０を構成するホルダ６０の突起６５は、突起６５に設けられた傾斜摺接面６５ｃにガイドされる。従って、レンズ組立体８０は、ハウジング３００の取付孔３８０に容易に挿着される。
【０１４６】
図１，図４，図５の如く、ハウジング３００に、レンズ組立体８０が挿入可能な取付孔３８０が設けられている。レンズ組立体８０を構成するホルダ６０が取付孔３８０に挿入され始める側を、ホルダ６０の先端部６０ａとし、先端部６０ａに対する反対側を、ホルダ６０の後端部６０ｃとし、ホルダ６０の先端部６０ａと、ホルダ６０の後端部６０ｃと
の間を、ホルダ６０の中間部６０ｂとする。このようにホルダ６０の各部を定義する。図２および図３の如く、ホルダ６０を構成する略円筒状の周壁６１ａは、ホルダ６０の中間部６０ｂからホルダ６０の先端部６０ａにかけて次第に薄肉に形成されている。
【０１４７】
このような形状にホルダ６０が形成されていれば、ハウジング３００に設けられた取付孔３８０に、レンズ組立体８０を構成するホルダ６０が挿入されるときに、ホルダ６０の先端部６０ａに無理な力が加えられることなく、レンズ組立体８０を構成するホルダ６０は、ハウジング３００の取付孔３８０に挿入される。ホルダ６０を構成する略円筒状の周壁６１ａは、ホルダ６０の中間部６０ｂからホルダ６０の先端部６０ａにかけて次第に薄肉に形成されているので、ホルダ６０の先端部６０ａは、弾力性に優れたものとなる。このように、ホルダ６０の先端部６０ａは、可撓性に優れたものとして形成されているので、レンズ組立体８０を構成するホルダ６０が、ハウジング３００に設けられた取付孔３８０に挿入されるときに、ホルダ６０に無理な力が加えられるということは、防止される。
【０１４８】
また、ホルダ６０を構成する略円筒状の周壁６１ａが、ホルダ６０の中間部６０ｂからホルダ６０の先端部６０ａにかけて次第に薄肉に形成され、且つ、ハウジング３００に設けられた取付孔３８０の内周面３８５に当接される突起６５が、ホルダ６０の先端部６０ａの外周部６３に設けられたものとされていれば、ホルダ６０を備えるレンズ組立体８０が、ハウジング３００の取付孔３８０に挿入されるときに、ホルダ６０の先端部６０ａは、適度に撓まされる。
【０１４９】
従って、ホルダ６０を備えるレンズ組立体８０が、ハウジング３００の取付孔３８０に挿入されるときに、ホルダ６０の先端部６０ａ側の外周部６３に設けられた突起６５が削らされるということは、防止され易くなる。また、ハウジング３００に対し、ホルダ６０を備えるレンズ組立体８０の取付位置が調整されるときに、ホルダ６０の先端部６０ａの外周部６３に設けられた突起６５が削らされるということも、防止され易くなる。
【０１５０】
図１，図４，図５の如く、ハウジング３００に、レンズ組立体８０が挿入可能な取付孔３８０が設けられている。レンズ組立体８０を構成するホルダ６０が取付孔３８０に挿入され始める側を、ホルダ６０の先端部６０ａとしたときに、図２および図３の如く、ホルダ６０の先端部６０ａに複数の肉盗み部６１ｄが設けられて、ホルダ６０の先端部６０ａは、複数の突出部６１ｅを備えるものとして形成されている。ホルダ６０の先端部６０ａは、複数の突出部６１ｅを備えるものとして分割形成されている。
【０１５１】
ハウジング３００（図１，図４，図５）に設けられた取付孔３８０の寸法誤差に対応して、ホルダ６０が取付孔３８０に圧入状態で嵌合可能とさせる複数の肉盗み部６１ｄ（図２，図３）が、ホルダ６０の先端部６０ａに設けられている。これにより、ホルダ６０の先端部６０ａは、複数の突出片６１ｅを備えるものとして分割形成されている。
【０１５２】
このような形状にホルダ６０が形成されていれば、ハウジング３００に設けられた取付孔３８０の径寸法などの寸法精度が、多少、低いものとされていても、レンズ組立体８０を構成するホルダ６０は、ハウジング３００の取付孔３８０に確実に挿入される。ホルダ６０の先端部６０ａに複数の肉盗み部６１ｄが設けられて、ホルダ６０の先端部６０ａは、複数の突出片６１ｅを備えるものとして形成されているので、図１０の如く、例えばハウジング（３００）の取付孔（３８０）が略楕円形状に形成されていても、ホルダ６０（図４）の先端部６０ａは、ハウジング３００の取付孔３８０に入られ易くなる。従って、レンズ組立体８０を構成するホルダ６０は、確実にハウジング３００の取付孔３８０に挿着される。図２，図３，図９，図１０の如く、ホルダ６０の先端部６０ａは、四分割されているが、例えばホルダ（６０）の先端部（６０ａ）が二分割されたものも使用可能とされる（図示せず）。
【０１５３】
ホルダ６０に対してレンズ５０が固定されるときに、ホルダ６０の肉盗み部６１ｄに接着剤８（図９，図１０）が流し込まれる。ホルダ６０（図２，図３）の肉盗み部６１ｄと、レンズ５０の周縁部５８とが接着されて、ホルダ６０にレンズ５０が固定されている（図９，図１０）。
【０１５４】
このようにして、レンズ５０と、ホルダ６０とが接着されていれば、レンズ５０は、ホルダ６０に確実に固定される。ホルダ６０にレンズ５０が備えられ、ホルダ６０の先端部６０ａに設けられた肉盗み部６１ｄに接着剤８が流し込まれるので、ホルダ６０の肉盗み部６１ｄと、レンズ５０の周縁部５８とで接着が行われる。従って、例えばレンズ（５０）の略中心部（５５）に接着剤（８）が塗布されて、レンズ５０に通される光に悪影響が及ぼされるということは回避され、レンズ５０は、ホルダ６０に正常に確実に接着固定される。
【０１５５】
ホルダ６０に対してレンズ５０が固定されるときに、紫外線が照射されることで硬化する紫外線硬化型接着剤８（図９，図１０）が用いられて、ホルダ６０にレンズ５０が固定されている。レンズ５０が取り付けられたホルダ６０の肉盗み部６１ｄに、紫外線硬化型接着剤８が塗布されることで、ホルダ６０にレンズ５０が接着固定されている。
【０１５６】
紫外線が照射されることで硬化する紫外線硬化型接着剤８が用いられて、接着が行われるものとされていれば、レンズ５０は、容易で迅速にホルダ６０に固定される。紫外線硬化型接着剤８に紫外線が照射されることで、紫外線硬化型接着剤８の硬化反応が促進され、レンズ５０は、ホルダ６０に速やかに接着される。また、紫外線硬化型接着剤８が用いられて、ホルダ６０にレンズ５０が接着されるので、レンズ５０は、ハウジング３００に精度よく接着固定される。
【０１５７】
光硬化型接着剤の一種とされる紫外線硬化型接着剤として、例えば米国ＮＯＲＬＡＮＤ社製：光学ＵＶ接着剤ＮＯＡ７７等が挙げられる。光学ＵＶ接着剤ＮＯＡ７７等の紫外線硬化型接着剤は、アクリル系のものとされ、一液性の紫外線硬化型接着剤とされているため、二液性の紫外線硬化型接着剤が使用されるときに行われる液と液との混合作業が不要とされる。従って、接着剤の塗布工程は、迅速で効率的に行われることとなる。「ＵＶ」とは、「ultraviolet 」を意味し、「ultraviolet radiation 」は、「紫外線」を意味する。紫外線硬化型接着剤は、ＵＶ硬化型接着剤などと呼ばれている。光ピックアップ装置やフレキシブル基板の設計仕様などにより、例えば二液性の紫外線硬化型接着剤が用いられて接着工程が行われたものも使用可能とされる。二液性の紫外線硬化型接着剤として、例えば二液性エポキシ系の紫外線硬化型接着剤などが挙げられる。
【０１５８】
図６〜図８の如く、金属製の位置調整部材７０は、ばね特性を備え持った金属製の位置調整用弾性部材７０として形成されている。図６の如く、位置調整用弾性部材７０は、略湾曲状に形成されている。位置調整用弾性部材７０が平面視されたときに、位置調整用弾性部材７０は、略Ｃ字状に形成されている。
【０１５９】
図１〜図３の如く、ホルダ６０は、略円筒状に形成され、位置調整用弾性部材７０に対応した略湾曲状の取付溝６７（図１〜図４，図６〜図８）が、ホルダ６０に設けられている。図１，図６〜図８の如く、この取付溝６７は、位置調整用弾性部材７０が接する第一底部６７ａと、第一底部６７ａに続く傾斜摺接部６７ｐと、傾斜摺接部６７ｐに続き第一底部６７aよりも溝底側の第二底部６７ｂとを備えるものとして、ホルダ６０に形成されている。図１〜図４，図６〜図８の如く、位置調整用弾性部材７０は、ホルダ６０の取付溝６７に合わせられて、ホルダ６０に装着される。
【０１６０】
このような取付溝６７がホルダ６０に設けられていれば、略湾曲状に形成された位置調整用弾性部材７０は、略円筒状に形成されたホルダ６０の取付溝６７に、確実に合わせられる。略湾曲状の位置調整用弾性部材７０に対応した取付溝６７がホルダ６０に設けられ、この取付溝６７に位置調整用弾性部材７０が合わせられるので、位置調整用弾性部材７０は、ホルダ６０の取付溝６７に沿って、確実にホルダ６０に取り付けられる。
【０１６１】
図６〜図８の如く、略湾曲状に形成された位置調整用弾性部材７０が、ホルダ６０の湾曲状溝６７に取り付けられるときに、図７の如く、略湾曲状に形成された位置調整用弾性部材７０の両端部７９，７９が広げられて、位置調整用弾性部材７０が取付溝６７に装着される。
【０１６２】
略湾曲状に形成された位置調整用弾性部材７０が、ホルダ６０の湾曲状溝６７に取り付けられるときに、略湾曲状に形成された位置調整用弾性部材７０の両端部７９，７９が、ホルダ６０の湾曲状溝６７の底面６７ａ，６７ｂに設けられた一対の傾斜摺接部６７ｐ，６７ｐに接する。その状態で、ホルダ６０に向けて位置調整用弾性部材７０が押圧されると、ホルダ６０の湾曲状溝６７内に設けられた一対の傾斜摺接部６７ｐ，６７ｐにより、位置調整用弾性部材７０の両端部７９，７９が広げられ、位置調整用弾性部材７０の各端部７９は、ホルダ６０の湾曲状溝６７内の各傾斜摺接部６７ｐを乗り越える。
【０１６３】
図８の如く、取付溝６７内に完全に位置調整用弾性部材７０が装着されたのちの位置調整用弾性部材７０は、ばね特性を備え持つ位置調整用弾性部材７０に発生された復元弾性力により、位置調整用弾性部材７０の両端部７９，７９が狭められて、略元の湾曲形状に戻されて、位置調整用弾性部材７０は、ホルダ６０の取付溝６７に嵌め合わせられる（図２，図３）。
【０１６４】
位置調整用弾性部材７０が、ばね特性を備え持つものとされていれば、略湾曲状に形成された位置調整用弾性部材７０は、略円筒状に形成されたホルダ６０の取付溝６７に、確実に嵌め合わせられる。略湾曲状に形成された位置調整用弾性部材７０が、略円筒状に形成されたホルダ６０の湾曲状溝６７に取り付けられるときに、略湾曲状に形成された位置調整用弾性部材７０の両端部７９，７９が広げられて、ホルダ６０の取付溝６７に位置調整用弾性部材７０が装着される。
【０１６５】
ホルダ６０の取付溝６７に位置調整用弾性部材７０が装着されたのちの位置調整用弾性部材７０は、ばね特性を備え持つ位置調整用弾性部材７０に発生された復元弾性力により、位置調整用弾性部材７０の両端部７９，７９が狭められて略元の湾曲形状に戻されるので、ホルダ６０の取付溝６７から位置調整用弾性部材７０が不用意に抜け落とされるということは、確実に防止される。このように、位置調整用弾性部材７０に復元弾性力が発生されるので、位置調整用弾性部材７０は、ホルダ６０に設けられた取付溝６７に確実に嵌着される。
【０１６６】
図８の如く、ホルダ６０に設けられた取付溝６７の第一底面６７ａに、位置調整用弾性部材７０の内周面７７が当接された状態で、位置調整用弾性部材７０は、ホルダ６０の取付溝６７に嵌め合わせられている。
【０１６７】
このような状態で、ホルダ６０に位置調整用弾性部材７０が装着される構造のものとされていれば、位置調整用弾性部材７０は、確実にホルダ６０の取付溝６７に嵌め合わせられる。ホルダ６０に設けられた取付溝６７の第一底面６７ａに、位置調整用弾性部材７０の内周面７７が当接された状態で、位置調整用弾性部材７０がホルダ６０の取付溝６７に嵌め合わせられるので、位置調整用弾性部材７０は、ホルダ６０に設けられた取付溝６７の第一底面６７ａに抱き付いた状態で、ホルダ６０に取り付けられる。従って、位置調整
用弾性部材７０がホルダ６０の取付溝６７から抜け落とされるということは、回避され易くなり、位置調整用弾性部材７０は、確実にホルダ６０の取付溝６７に嵌着される。
【０１６８】
図３，図４，図８の如く、ホルダ６０を構成する略円筒状周壁６１ａの外周面６３，６４よりもホルダ６０の内側に、略湾曲状の位置調整用弾性部材７０の外周面７３が位置する状態とされて、位置調整用弾性部材７０は、ホルダ６０の取付溝６７に嵌め合わせられている。
【０１６９】
このような状態で、ホルダ６０に位置調整用弾性部材７０が組み付けられる構造のものとされていれば、ホルダ６０の外周面６３，６４よりも位置調整用弾性部材７０の外周面７３が外側に位置することなく、位置調整用弾性部材７０は、ホルダ６０の取付溝６７に嵌着される。
【０１７０】
ホルダ６０の取付溝６７に位置調整用弾性部材７０が嵌め合わせられてレンズ組立体８０が構成され、このレンズ組立体８０が圧入の状態で挿入可能な略円筒孔状の取付孔３８０（図１，図４，図５）が、ハウジング３００に設けられたものにおいては、レンズ組立体８０がハウジング３００の取付孔３８０に挿入される等されて光ピックアップ装置１が組み立てられるときに、ハウジング３００の取付孔３８０に、スムーズにレンズ組立体８０が挿入されることが要求される。
【０１７１】
図３，図４，図８の如く、ホルダ６０の取付溝６７に位置調整用弾性部材７０が嵌め合わせられたときに、ホルダ６０を構成する略円筒状周壁６１ａの外周面６３，６４よりも内側に、略湾曲状の位置調整用弾性部材７０の外周面７３が位置する状態とされて、レンズ組立体８０が構成されていれば、ハウジング３００（図１，図４，図５）の取付孔３８０にレンズ組立体８０が挿着されるときに、ハウジング３００の取付孔３８０にレンズ組立体８０の位置調整用弾性部材７０が引っ掛けられるということは回避される。従って、レンズ組立体８０は、スムーズにハウジング３００の取付孔３８０に挿着される。
【０１７２】
図２，図４の如く、位置調整用弾性部材７０は、ホルダ６０の取付溝６７内に設けられた複数の保持部６７ｖに当接または近接された状態で、ホルダ６０の取付溝６７に装着される。
【０１７３】
ホルダ６０に対して位置調整用弾性部材７０が仮固定されるときに、図８の如く、略湾曲状に形成された位置調整用弾性部材７０の両側部７８，７８と、位置調整用弾性部材７０に対応してホルダ６０に設けられた略湾曲状の取付溝６７の両側部６７ｍ，６７ｍとに、短時間で接着が行われる接着剤９，９が塗布されることで、ホルダ６０の取付溝６７内に位置調整用弾性部材７０が仮固定される。
【０１７４】
略湾曲状に形成された位置調整用弾性部材７０の両側部７８，７８に、前記接着剤９が塗布される。また、位置調整用弾性部材７０の各側部７８，７８に対応して、ホルダ６０に設けられた略湾曲状取付溝６７内の各保持部６７ｖ，６７ｖ近傍に、前記接着剤９が塗布される
接着剤９が用いられることで、位置調整用弾性部材７０は、確実にホルダ６０の取付溝６７内に仮固定される。ホルダ６０に対して位置調整用弾性部材７０が仮固定されるときに、略湾曲状に形成された位置調整用弾性部材７０の両側部７８，７８と、位置調整用弾性部材７０に対応してホルダ６０に設けられた略湾曲状の取付溝６７の両側部６７ｍ，６７ｍとに、短時間で接着が行われる接着剤９，９が塗布されるので、ホルダ６０に設けられた取付溝６７内で位置調整用弾性部材７０が動かされるということは、防止される。従って、位置調整用弾性部材７０は、ホルダ６０の取付溝６７内に確実に固着される。
【０１７５】
ホルダ６０に対して位置調整用弾性部材７０が仮固定されるときに、速やかに接着が行われる瞬間接着剤９が用いられて、ホルダ６０に位置調整用弾性部材７０が仮固定された。位置調整用弾性部材７０の両側部７８，７８と、ホルダ６０に設けられた略湾曲状の取付溝６７の両側部６７ｍ，６７ｍとに、瞬間接着剤９が塗布されて、ホルダ６０に位置調整用弾性部材７０が仮固定されている。
【０１７６】
瞬間接着剤９が用いられることで、位置調整用弾性部材７０は、速やかにホルダ６０に仮固定される。ホルダ６０に対して位置調整用弾性部材７０が仮固定されるときに、速やかに接着が行われる瞬間接着剤９が用いられて、ホルダ６０に位置調整用弾性部材７０が仮固定されるので、ホルダ６０に対する位置調整用弾性部材７０の固定作業は、迅速に行われる。このように、瞬間接着剤９が用いられることで、位置調整用弾性部材７０は、迅速にホルダ６０に固着される。
【０１７７】
瞬間接着剤として、例えば東亜合成社製：アロンアルファ（登録商標）１０１，２０１などが挙げられる。この瞬間接着剤は、空気中の水分と化学反応を起こして、瞬間的に重合化され、接着が行われるアルファシアノアクリレートとされている。アロンアルファ２０１が用いられて、接着作業が行われた。
【０１７８】
図４，図５の如く、ハウジング３００に対するレンズ組立体８０の取付位置を調整可能な位置調整部７５が、レンズ組立体８０を構成する位置調整用弾性部材７０に設けられている。また、位置調整用弾性部材７０の位置調整部７５に対応した位置調節部３７５が、ハウジング３００に設けられている。
【０１７９】
このような構造のものとされていれば、ハウジング３００に対して、位置調整用弾性部材７０を備えるレンズ組立体８０の取付位置の調整は、容易に行われる。ハウジング３００に対するレンズ組立体８０の取付位置を調整可能な位置調整部７５が、位置調整用弾性部材７０に設けられ、位置調整部７５に対応した位置調節部３７５が、ハウジング３００に設けられているので、位置調整用弾性部材７０を備えるレンズ組立体８０がハウジング３００に取り付けられるときに、例えば図１３に示す治具７００などが用いられて、レンズ組立体８０（図４，図５）を構成する位置調整用弾性部材７０の位置調整部７５と、ハウジング３００の位置調節部３７５との位置が調整されることで、ハウジング３００に対するレンズ組立体８０の取付位置が調整される。
【０１８０】
図１，図４の如く、位置調整用弾性部材７０の位置調整部７５は、位置調整用弾性部材７０に設けられた貫通孔状の位置調整用孔７５として形成されている。また、図１，図４，図５の如く、ハウジング３００の位置調節部３７５は、ハウジング３００に設けられた貫通孔状の位置調節用孔３７５として形成されている。
【０１８１】
ハウジング３００（図４）にレンズ組立体８０が取り付けられるときに、レンズ組立体８０を構成する位置調整用弾性部材７０の位置調整用孔７５と、ハウジング３００の位置調節用孔３７５とが略合わせられる。その状態で、位置調整用弾性部材７０の位置調整用孔７５およびハウジング３００の位置調節用孔３７５に、位置調整用治工具７００（図１３）の端部７０５が通される。位置調整用治工具７００が動かされることで、ハウジング３００（図４）に対するレンズ組立体８０の取付位置が調整される。
【０１８２】
このようにすれば、ハウジング３００に対して、位置調整用弾性部材７０を備えるレンズ組立体８０の取付位置の調整は、正確に行われる。ハウジング３００にレンズ組立体８０が取り付けられるときに、レンズ組立体８０を構成する位置調整用弾性部材７０の位置調整用孔７５と、ハウジング３００の位置調節用孔３７５とが略合わせられ、位置調整用弾性部材７０の位置調整用孔７５およびハウジング３００の位置調節用孔３７５に、位置
調整用治工具７００（図１３）の端部７０５が通され、位置調整用治工具７００が動かされることで、ハウジング３００（図４）に対するレンズ組立体８０の取付位置が調整されるので、ハウジング３００に対するレンズ組立体８０の位置調整は、正確に行われる。
【０１８３】
例えば、位置調整用弾性部材７０の位置調整部７５が位置調整用溝として形成されたものも使用可能とされる。また、図１３に示す治工具７００に代えて、他の形状の治工具（図示せず）も使用可能とされる。
【０１８４】
ハウジング３００（図４，図５）の取付孔３８０にレンズ組立体８０が挿入されたのちに、ハウジング３００に対してレンズ組立体８０が固定されるときに、ハウジング３００に設けられた位置調節用孔３７５に、接着剤（図示せず）が流し込まれることで、位置調整用弾性部材７０に設けられた位置調整用孔７５と、ホルダ６０の取付溝６７とに、不図示の接着剤が流し込まれ、ハウジング３００にレンズ組立体８０が接着固定される。また、ハウジング３００の位置調節用孔３７５に対向して設けられた貫通孔３７０に、さらに接着剤（図示せず）が流し込まれることで、ハウジング３００と、レンズ組立体８０との接着固定が確実に行われる。
【０１８５】
接着剤が用いられることで、レンズ組立体８０は、ハウジング３００に確実に接着されて固定される。ハウジング３００に対するレンズ組立体８０の取付位置が調整されたのちに、ハウジング３００に設けられた位置調節用孔３７５およびこれに対向する貫通孔３７０に接着剤が流し込まれて、ハウジング３００と、レンズ組立体８０との接着作業が行われるので、レンズ組立体８０は、ハウジング３００に容易に接着固定される。
【０１８６】
ハウジング３００の取付孔３８０にレンズ組立体８０が挿入され、ハウジング３００に対してレンズ組立体８０が固定されるときに、紫外線が照射されることで硬化する上記紫外線硬化型接着剤が用いられて、ハウジング３００にレンズ組立体８０が固定される。
【０１８７】
紫外線硬化型接着剤が用いられることで、レンズ組立体８０は、容易で迅速にハウジング３００に固定される。紫外線硬化型接着剤に紫外線が照射されることで、紫外線硬化型接着剤の硬化反応が促進され、レンズ組立体８０は、ハウジング３００に速やかに接着される。また、紫外線硬化型接着剤が用いられて、ハウジング３００にレンズ組立体８０が接着されるので、レンズ組立体８０は、ハウジング３００に精度よく接着固定される。
【０１８８】
ホルダ６０（図１）は、樹脂材料が用いられて形成されている。詳しく説明すると、ホルダ６０は、射出成形が可能とされた熱可塑性の合成樹脂材料が用いられて形成されている。ホルダ６０に取り付けられる位置調整用弾性部材７０は、ばね特性をもつ金属材料が用いられて形成されている。
【０１８９】
樹脂製ホルダ６０に取り付けられる位置調整用弾性部材７０は、金属材料が用いられて形成されているので、ハウジング３００（図４，図５）に対してレンズ組立体８０の位置調整作業が繰返し行われることがあっても、ホルダ６０と位置調整用弾性部材７０とを備えるレンズ組立体８０は、精度よくハウジング３００に取り付けられる。
【０１９０】
例えば、ホルダ（６０）と、位置調整部材（７０）とが一体化され、合成樹脂材料が用いられて、位置調整部（７５）を備えるホルダ（６０）が形成され、このようなホルダ（６０）を備えるレンズ組立体（８０）と、ハウジング（３００）との位置調整作業が繰返し行われた場合、最適な位置調整作業ができなくなるといったことが心配されていた。例えば、樹脂製ホルダ（６０）の位置調整部（７５）に、位置調整用治具（７００）（図１３）の端部（７０５）などが繰り返して押し当てられた場合、樹脂製ホルダ（６０）（図４，図５）の位置調整部（７５）が削らされて、ハウジング（３００）に対するレンズ組
立体（８０）の最適な位置調整作業が行われなくなるといったことが懸念されていた。
【０１９１】
樹脂材料は、一般に金属材料よりも摺動性に優れ、ホルダ６０などの成形体の低コスト化を図るうえで有利なものとされている。これに対し、金属材料は、一般に樹脂材料よりも耐摩耗性に優れるものとされている。樹脂材料が用いられてホルダ６０が形成され、金属材料が用いられて位置調整用弾性部材７０が形成されていれば、例えば位置調整用治工具７００（図１３）が用いられて、ハウジング３００（図４，図５）に対するレンズ組立体８０の位置調整作業が繰返し行われても、金属製位置調整用弾性部材７０の位置調整部７５が削らされるということは、防止される。従って、ハウジング３００に対するレンズ組立体８０の位置調整作業が繰り返して実行可能とされた光ピックアップ装置１が、光ピックアップ装置１の組立メーカなどに提供される。
【０１９２】
また、レンズ組立体８０を構成するホルダ６０は、樹脂材料が用いられて形成されているので、金属製ハウジング３００の取付孔３８０の内周部３８５に対し、ホルダ６０の外周部６３，６４に設けられた突起部６５，６６の摺動特性は、向上される。従って、ハウジング３００に対するレンズ組立体８０の取付位置の微調整作業は、容易に行われる。
【０１９３】
ホルダ６０は、射出成形が可能な熱可塑性合成樹脂材料が用いられて形成されている。射出成形が行われることで、ホルダ６０は、効率よく大量生産される。射出成形が可能な熱可塑性合成樹脂として、例えば熱安定性性や、絶縁特性などの電気的特性や、機械的特性や、寸法安定性などに優れるポリフェニレンサルファイド等のポリアリーレンサルファイド系樹脂などが挙げられる。ポリフェニレンサルファイド（Poly Phenylene Sulfide）は、「ＰＰＳ」と略称されている。ポリフェニレンサルファイド樹脂を基材としたものとして、例えば大日本インキ化学工業株式会社製：ＤＩＣ・ＰＰＳ＿ガラス繊維強化耐熱タイプ（架橋型）ＦＺ−１１３０−Ｄ５等が挙げられる。他の樹脂材料が用いられてホルダ（６０）が形成されたものも使用可能とされる。
【０１９４】
位置調整用弾性部材７０は、ステンレスが用いられて形成されている。ステンレスとして、ＳＵＳ３０１が用いられた。また、ハウジング３００は、マグネシウム（Ｍｇ）を含有する軽合金材料が用いられて形成されている。例えば、合成樹脂材料が用いられてハウジング（３００）が形成されたものも使用可能とされる。
【０１９５】
レンズ５０は、ＬＤ２０から出射されたレーザ光を集めるダイバージェントレンズ５０として形成されている。
【０１９６】
ダイバージェントレンズ５０を備えるレンズ組立体８０は、図１〜図４に示す構造のものとされることにより、ハウジング３００に精度よく組み付けられる。ダイバージェントレンズ５０は、ＬＤ２０から出射されたレーザ光を集める役目を果たし、光ピックアップ装置１が構成されるための重要な光学系部品とされている。
【０１９７】
例えば、ハウジング（３００）に対し、ダイバージェントレンズ（５０）の取付位置がずらされていると、光ピックアップ装置（１）における光路（図１２）の設定がずらされ、このことから、光ピックアップ装置１に動作不良が生じるといったことが懸念されていた。しかしながら、ダイバージェントレンズ５０（図１〜図５）を備えるレンズ組立体８０が、精度よくハウジング３００に組み付けられていれば、光路調整が精度よく行われた光ピックアップ装置１が、光ディスク装置の組立メーカや、光ピックアップ装置１の組立メーカなどに提供される。
【０１９８】
以下に光ピックアップ装置１の組立方法に沿って説明する。
【０１９９】
ホルダ６０を移動可能とさせる位置調整用弾性部材７０（図１〜図３，図６〜図８）をホルダ６０に取り付け、上記瞬間接着剤９（図８）を用いて、位置調整用弾性部材７０をホルダ６０に接着させて仮固定させる。ホルダ６０（図６〜図８）の取付溝６７に位置調整用弾性部材７０を装着させ、位置調整用弾性部材７０の両側部７８，７８と、ホルダ６０に設けられた略湾曲状の取付溝６７の両側部６７ｍ，６７ｍとに、瞬間接着剤９（図８）を塗布させることで、ホルダ６０に位置調整用弾性部材７０が仮固定される。
【０２００】
また、レーザ光が通される略無色透明の合成樹脂製ダイバージェントレンズ５０（図１〜図３，図１１）をホルダ６０に取り付け、上記紫外線硬化型接着剤８（図９，図１０）を用いて、ダイバージェントレンズ５０をホルダ６０に接着固定させる。レンズ５０が取り付けられたホルダ６０（図２，図３）の肉盗み部６１ｄに、紫外線硬化型接着剤８（図９，図１０）を流し込む。その状態で、接着剤８に紫外線を照射させることで、接着剤８を硬化させ、ホルダ６０（図２，図３）の肉盗み部６１ｄと、レンズ５０の周縁部５８とを接着固定させる。こうしてレンズ組立体８０（図４，図５）を構成させる。
【０２０１】
このようにして組み立てられたレンズ組立体８０をハウジング３００に取り付ける。そのときに、ハウジング３００に対してレンズ組立体８０の取付位置を調節可能な位置調整用治工具７００（図１３）を用いて、ハウジング３００（図４，図５）に対し、レンズ組立体８０の取付位置を調整させる。
【０２０２】
このようにすることで、ハウジング３００に精度よく簡単にレンズ組立体８０を取り付けることが可能となる。ダイバージェントレンズ５０を備えるレンズ組立体８０をハウジング３００に取り付けるときに、位置調整用治工具７００を用いて、ハウジング３００に装備された各光学系部品に対するレンズ組立体８０の取付位置の調整を行うので、レンズ組立体８０を精度よくハウジング３００に取り付けることが可能とされる。これにより、ハウジング３００に装備された各光学系部品に対し、精度よく光路調整を行うことができる。従って、光ピックアップ装置１の組立作業を行うときに、光ピックアップ装置１に精度よく光路を設定させることが可能とされる。
【０２０３】
図１３（ａ）（ｂ）に示す位置調整用治工具７００は、レンズ組立体８０（図４）と接する略円柱形をした細径の第一ピン７１０（図１３）と、第一ピン７１０に続き第一ピン７１０の直径７１６よりも大きい直径７２６であって略円柱形をした太径の第二ピン７２０と、第二ピン７２０に続き第二ピン７２０の直径７２６よりも大きい直径７３６の略円柱形をした治具本体７３０とを備えるものとして形成されている。
【０２０４】
位置調整用治工具７００の端部７０５は、細径の第一ピン７１０と、太径の第二ピン７２０とを備えるものとして形成されている。また、細径の第一ピン７１０は、位置調整用治工具７００の長手方向に沿った中心線に対し、偏芯した状態で太径の第二ピン７２０から突設された偏芯ピン７１０として形成されている。
【０２０５】
略円柱形をした第一ピン７１０の中心線は、略円柱形をした第二ピン７２０の中心線や、略円柱形をした治具本体７３０の中心線に対し、偏芯された状態とされている。略円柱形をした第一ピン７１０の中心線は、略円柱形をした第二ピン７２０から偏芯して突設されている。
【０２０６】
位置調整用治工具７００の端部７０５に対応して、位置調整用弾性部材７０（図１，図４）に位置調整用孔７５が設けられている。また、位置調整用治工具７００（図１３）の端部７０５に対応して、ハウジング３００（図４，図５）に位置調節用孔３７５が設けられている。
【０２０７】
ハウジング本体３０１に設けられた略矩形状の開口部３４０からレンズ組立体８０をハウジング３００の取付孔３８０に挿入させて、レンズ組立体８０をハウジング３００に取り付けるときに、レンズ組立体８０の位置調整用弾性部材７０の位置調整用孔７５と、ハウジング３００の位置調節用孔３７５とを略合わせる。
【０２０８】
レンズ組立体８０の位置調整用弾性部材７０の位置調整用孔７５と、ハウジング３００の位置調節用孔３７５とに、位置調整用治工具７００（図１３）の端部７０５を挿入させる。
【０２０９】
ハウジング３００（図４，図５）の位置調節用孔３７５に、位置調整用治工具７００（図１３）の第二ピン７２０を合わせることで、レンズ組立体８０（図４，図５）の位置調整用弾性部材７０の位置調整用孔７５に、位置調整用治工具７００（図１３）の第一ピン７１０が合わせられる。
【０２１０】
位置調整用治工具７００の治具本体７３０を回動させ、位置調整用治工具７００の第二ピン７２０を略円弧状に回動させることで、位置調整用治工具７００の第一ピン７１０により、レンズ組立体８０（図４，図５）の位置調整用弾性部材７０をレーザ光の光軸方向Ｌに沿って押動させ、ハウジング３００に対するレンズ組立体８０の取付位置を調整させる。
【０２１１】
即ち、位置調整用治工具７００（図１３）の治具本体７３０を回動させ、位置調整用治工具７００の第二ピン７２０を略円弧状に回動させることで、位置調整用治工具７００の第一ピン７１０により、レンズ組立体８０（図４，図５）の位置調整用弾性部材７０を光ピックアップ装置１（図５）のＺ軸方向に沿って押動させ、ハウジング３００に対するレンズ組立体８０の取付位置を調整させる。
【０２１２】
これにより、ハウジング３００にレンズ組立体８０を取り付けて、ハウジング３００に対するレンズ組立体８０の取付位置を調整させるときの作業は、精度よく容易に行われる。
【０２１３】
レンズ組立体８０をハウジング３００に取り付けるときに、レンズ組立体８０の位置調整用弾性部材７０の位置調整用孔７５と、ハウジング３００の位置調節用孔３７５とを略合わせ、位置調整用弾性部材７０の位置調整用孔７５と、ハウジング３００の位置調節用孔３７５とに、位置調整用治工具７００の端部７０５を挿入させて、位置調整用治工具７００の第二ピン７２０をハウジング３００の位置調節用孔３７５に合わせることで、位置調整用治工具７００の第一ピン７１０が位置調整用弾性部材７０の位置調整用孔７５に合わせられる。
【０２１４】
また、位置調整用治工具７００の治具本体７３０を回動させて、位置調整用治工具７００の第二ピン７２０を略円弧状に回動させることで、第二ピン７２０の先に設けられた第一ピン７１０により、レンズ組立体８０の位置調整用弾性部材７０を光軸方向ＬすなわちＺ軸方向に沿って押動させるので、ダイバージェントレンズ５０と、位置調整用弾性部材７０とを備えるレンズ組立体８０の取付位置の調整は、精度よく容易に行われる。
【０２１５】
ハウジング３００（図４，図５）に設けられた位置調節用孔３７５は、略円柱形をした第二ピン７２０（図１３）の直径７２６に対応した丸穴３７６（図４，図５）と、ハウジング３００の丸穴３７６内で位置調整用治工具７００の第二ピン７２０（図１３）の挿入を止めさせ、且つ、位置調整用治工具７００の第一ピン７１０の円弧回動を停止させる略板状の停止部３７７とを備えるものとされている。略板状の停止部３７７（図４，図５）は、ハウジング３００の丸穴３７６内に設けられている
位置調整用弾性部材７０（図１，図４）に設けられた位置調整用孔７５は、略長円形に形成されている。位置調整用弾性部材７０に設けられた位置調整用孔７５は、略円柱形の第一ピン７１０（図１３）の直径７１６に略対応した短径部７６ｎ（図１，図４）と、第二ピン７２０（図１３）に対する第一ピン７１０の偏芯動に対応した長径部７６ｍ（図１，図４）とを備えるものとされている。
【０２１６】
ハウジング３００（図４，図５）に対してレンズ組立体８０の取付位置の微調整を行うときに、位置調整用治工具７００（図１３）の本体７３０を回動させ、略円柱形の第二ピン７２０を略円弧状に回動させることで、停止部３７７（図４）の一端部３７８から他端部３７９にかけて略円柱形の第一ピン７１０（図１３）が略円弧状に回動される。または、略円柱形の第二ピン７２０を略円弧状に回動させることで、停止部３７７（図４）の他端部３７９から一端部３７８にかけて略円柱形の第一ピン７１０（図１３）が略円弧状に回動される。
【０２１７】
そのときに、位置調整用治工具７００（図１３）の第一ピン７１０は、位置調整用弾性部材７０（図１，図４）の短径部７６ｎの一側部７６ｐまたは他側部７６ｑを押動する。また、これと共に、位置調整用治工具７００（図１３）の第一ピン７１０は、位置調整用弾性部材７０（図１，図４）に設けられた略長円形の位置調整用孔７５の長径方向に沿って移動する。
【０２１８】
このような構造のものとされていれば、ハウジング３００にレンズ組立体８０を取り付けて、ハウジング３００に対するレンズ組立体８０の取付位置を調整させるときの作業は、さらに精度よく容易に行われる。
【０２１９】
ハウジング３００に設けられた位置調節用の丸穴３７６に、位置調整用治工具７００の第二ピン７２０の挿入を止めさせる停止部３７７が設けられているので、ハウジング３００に対し、位置調整用治工具７００の端部７０５は、位置決めされた状態でハウジング３００の丸穴３７６内に挿入される。
【０２２０】
また、略円柱形の第二ピン７２０を略円弧状に回動させることで、ハウジング３００の位置調節用孔３７５に設けられた停止部３７７の一端部３７８から他端部３７９にかけて略円柱形の第一ピン７１０が略円弧状に回動され、そのときに、位置調整用治工具７００の第一ピン７１０は、位置調整用弾性部材７０の略長円形をした位置調整用孔７５の短径部７６ｎの一側部７６ｐまたは他側部７６ｑを押動し、且つ、位置調整用治工具７００の第一ピン７１０は、位置調整用弾性部材７０に設けられた略長円形の位置調整用孔７５の長径方向に沿って移動する構造のものとされているので、ハウジング３００に対し、光軸方向Ｌに沿ったレンズ組立体８０の取付位置の微調整は、精度よく容易に行われる。従って、ハウジング３００に対するレンズ組立体８０の取付位置の微調整は、さらに精度よく容易に行われる。
【０２２１】
ハウジング３００（図４，図５）に対し、光ピックアップ装置１のＺ軸方向（図５）に沿って、レンズ組立体８０の取付位置の微調整を行うことで、ＦＭＤ２３０（図１２）におけるレーザ光のピント調整が行われる。レーザ光のピントは、例えば光計測装置（図示せず）等により測定されたジッターに基づいて判断される。「ジッター」とは、微妙な揺れや歪みを意味する。
【０２２２】
このようにして、光ピックアップ装置１におけるレンズ５０の調整いわゆるデフォーカス調整が行われる。この明細書において、デフォーカス調整とは、焦点が合わされていないものに対し、焦点合せを行う調整作業を意味する。
【０２２３】
ハウジング３００（図４，図５）に対するレンズ組立体８０の取付位置の微調整を行ったのちに、上記紫外線硬化型接着剤を用いて、レンズ組立体８０をハウジング３００に接着固定させる。
【０２２４】
ハウジング３００に設けられた取付孔３８０に、レンズ組立体８０を挿入させ、ハウジング３００の位置調節用孔３７５と、レンズ組立体８０を構成する位置調整用弾性部材７０の位置調整用孔７５とを略合わせ、ハウジング３００に設けられた位置調節用孔３７５に上記紫外線硬化型接着剤を流し込むことで、位置調整用弾性部材７０に設けられた位置調整用孔７５と、ホルダ６０の取付溝６７とに、上記紫外線硬化型接着剤が流し込まれる。また、ハウジング３００の位置調節用孔３７５に対向して設けた貫通孔３７０に、さらに上記紫外線硬化型接着剤を流し込む。その状態で、前記紫外線硬化型接着剤に紫外線を照射させることで、前記紫外線硬化型接着剤を硬化させ、ハウジング３００にレンズ組立体８０を接着固定させる。このようにして、ハウジング３００に装備される各光学系部品に対し、レンズ組立体８０を精度よくハウジング３００に装着させる。
【０２２５】
その後、ＬＤ２０（図５）と、１／２波長板＋回折格子４０とを備えるＬＤホルダ３０が、ハウジング３００のホルダ装着部３３０に取り付けられる。また、ハウジング本体３０１に各種部品が装備されて、光ピックアップ装置１が組み立てられる。
【０２２６】
その後、ハウジング３００の第二ガイド部３１２，３１２に、光ディスク装置（図示せず）を構成する第二ガイド軸（図示せず）が合わせられる。また、ハウジング３００の第一ガイド部３１１に、光ディスク装置（図示せず）を構成する第一ガイド軸（図示せず）が合わせられる。光ピックアップ装置１のハウジング３００は、前記第一ガイド軸および前記第二ガイド軸に支持された状態で、光ピックアップ装置１のＺ軸方向に沿って移動される。
【０２２７】
上記光ピックアップ装置１を備える不図示の光ディスク装置は、例えば、ノート型パソコンや、デスクトップ型パソコンなどのパソコンや、ＣＤプレーヤや、ＤＶＤプレーヤなどの音響機器などに装備可能なものとされる。パソコンは、パーソナルコンピュータ（Personal Computer ）の略称とされる。
【０２２８】
本発明の光ピックアップ装置は、図示されたものに限定されるものではない。本発明のものは、その要旨を逸脱しない範囲において、種々変更可能なものとされる。
【図面の簡単な説明】
【０２２９】
【図１】本発明に係る光ピックアップ装置およびその組立方法の一実施の形態を示す拡大分解斜視図である。
【図２】位置調整部材を備えるホルダにレンズが取り付けられてレンズ組立体が構成される状態を示す分解斜視図である。
【図３】同じく位置調整部材を備えるホルダにレンズが取り付けられてレンズ組立体が構成される状態を示す分解斜視図である。
【図４】ハウジングにレンズ組立体が組み付けられる状態を示す拡大分解斜視図である。
【図５】ハウジングにレンズ組立体が組み付けられて光ピックアップ装置が構成される状態を示す分解斜視図である。
【図６】ホルダに位置調整部材が取り付けられる状態を示す説明図である。
【図７】同じくホルダに位置調整部材が取り付けられる状態を示す説明図である。
【図８】ホルダに位置調整部材が取り付けられた状態を示す説明図である。
【図９】ハウジングにレンズ組立体が組み付けられた状態を示す説明図である。
【図１０】同じくハウジングにレンズ組立体が組み付けられた状態を示す説明図である。
【図１１】ホルダにレンズが取り付けられた状態を示す拡大説明図である。
【図１２】光ピックアップ装置の光路を示す説明図である。
【図１３】光ピックアップ装置に使用される治具の一例を示し、（ａ）は治具を示す側面図、（ｂ）は治具を示す正面図である。
【図１４】従来の光ピックアップ装置の一形態を示す説明図である。
【符号の説明】
【０２３０】
１              光ピックアップ装置（ピックアップ装置）
８              紫外線硬化型接着剤（接着剤）
９              瞬間接着剤（接着剤）
２０            レーザダイオード（発光素子）
５０            ダイバージェントレンズ（レンズ）
５６            一端部
５８            周縁部
６０            ホルダ
６０ａ          先端部
６０ｂ          中間部
６０ｃ          後端部
６１ａ          周壁
６１ｄ          肉盗み部
６１ｅ          突出片（突出部）
６３，６４      外周面（外周部）
６５，６６      突起（突起部）
６５ａ，６６ａ  尖端部
６５ｂ，６６ｂ  基部
６５ｃ          傾斜摺接面（傾斜案内部）
６７            取付溝（溝）
６７ａ          底面（底部）
６７ｍ          側部
７０            位置調整用弾性部材（位置調整部材）
７３            外周面
７５            位置調整用孔（位置調整部）
７６ｍ          長径部
７６ｎ          短径部
７６ｐ          一側部
７６ｑ          他側部
７７            内周面
７８            側部
７９            端部
８０            レンズ組立体
３００          ハウジング
３７５          位置調節用孔（位置調節部）
３７６          丸穴
３７７          停止部
３７８          一端部
３７９          他端部
３８０          取付孔
３８５          内周面（内周部）
７００          位置調整用治工具（治具）
７１０          偏芯ピン（第一ピン）
７１６，７２６  直径
７２０          第二ピン
【図１】
2006024269.tif 000003
【図２】
2006024269.tif 000004
【図３】
2006024269.tif 000005
【図４】
2006024269.tif 000006
【図５】
2006024269.tif 000007
【図６】
2006024269.tif 000008
【図７】
2006024269.tif 000009
【図８】
2006024269.tif 000010
【図９】
2006024269.tif 000011
【図１０】
2006024269.tif 000012
【図１１】
2006024269.tif 000013
【図１２】
2006024269.tif 000014
【図１３】
2006024269.tif 000015
【図１４】
2006024269.tif 000016